(57)【要約】【課題】より利用者の満足度の高い画像を提供する。【解決手段】撮影部は、利用者を被写体として、所定の撮影手順で１以上の種類の撮影を行い、選択部は、撮影部により撮影された画像を用いて、利用者の目的に応じたデザインまたは組み合わせとなるように合成された合成画像の種類を選択させる。そして、選択部により選択された種類の合成画像が、シール紙に印刷することにより、または、送信することにより利用者に提供される。【選択図】図１
2014082532.tif 000002
【特許請求の範囲】
【請求項１】
利用者を被写体として、所定の撮影手順で１以上の種類の撮影を行う撮影部と、
前記撮影部により撮影された１枚の画像に所定のデザインが施された合成用画像を合成する合成方法、または、前記撮影部により撮影された１枚の画像に複数枚の画像を組み合わせて合成する合成方法を選択させる選択部と、
前記選択部により選択された合成方法により、１枚の画像に前記合成用画像を合成した合成画像を利用者に提供する提供部と
を備える画像提供装置。
【請求項２】
前記撮影部による撮影を複数の利用者で行った場合において、前記選択部は、前記利用者ごとに前記合成方法を選択させる
請求項１又は２に記載の画像提供装置。
【請求項３】
前記撮影部による撮影の種類には、１回の撮影で１枚の画像を生成する通常撮影と、１回の撮影で取得される画像から複数枚の画像を生成する特別撮影とがある
請求項１に記載の画像提供装置。
【請求項４】
前記合成画像は、前記撮影部が特別撮影を行って撮影された特別画像と、前記特別画像の前景または背景として合成される絵柄および文字の少なくとも一方がデザインされた前記合成用画像とにより構成される
請求項１乃至３のいずれかに記載の画像提供装置。
【請求項５】
前記合成画像は、前記撮影部が特別撮影を行って撮影された特別画像と、前記撮影部が通常撮影を行って撮影された通常画像と、前記特別画像と前記通常画像との前景または背景として合成される絵柄および文字の少なくとも一方がデザインされた前記合成用画像とにより構成される
請求項１乃至３のいずれかに記載の画像提供装置。
【請求項６】
前記撮影部により撮影された撮影画像に編集情報を入力する編集作業を行う編集部をさらに備え、
前記編集部は、前記特別画像と前記通常画像と前記合成用画像とにより構成される前記合成画像に対する編集が禁止される
請求項４または５に記載の画像提供装置。
【請求項７】
前記撮影部が通常撮影を行って撮影された複数の通常画像の中から、前記合成画像に使用される所定数の通常画像を入れ替える入れ替え手段をさらに備える
請求項５又は６に記載の画像提供装置。
【請求項８】
前記撮影部は、通常撮影のみを行う撮影手順、通常撮影を行った後に特別撮影を行う撮影手順、通常撮影の前に特別撮影を行う撮影手順、通常撮影の間に特別撮影を行う撮影手順、および、特別撮影のみを行う撮影手順のいずれか１つにより撮影を行う
請求項１乃至７のいずれかに記載の画像提供装置。
【請求項９】
前記合成画像は、インターネット上で公開されている利用者のウェブページに掲載するために用いるという目的に応じた前記２つの合成方法のいずれかにより合成され、または、携帯端末の待機中に表示される待ち受け画面に表示するという目的に応じた前記２つの合成方法のいずれかにより合成される
請求項１乃至８のいずれかに記載の画像提供装置。
【請求項１０】
前記提供部は、前記合成画像が印刷されたシール紙を出力することにより前記合成画像を提供し、
前記シール紙は、縦方向または横方向に前記通常画像または前記特別画像が複数段配置され、少なくとも１段以上に特別画像が配置される
請求項２乃至９のいずれかに記載の画像提供装置。
【請求項１１】
利用者を被写体として、所定の撮影手順で１以上の種類の撮影を行い、
撮影された１枚の画像に所定のデザインが施された合成用画像を合成する合成方法、または、撮影された１枚の画像に複数枚の画像を組み合わせて合成する合成方法を選択させ、
選択された合成方法により、１枚の画像に前記合成用画像を合成した合成画像を利用者に提供する
ステップを含む画像提供方法。
【請求項１２】
利用者を被写体として、所定の撮影手順で１以上の種類の撮影を行い、
撮影された１枚の画像に所定のデザインが施された合成用画像を合成する合成方法、または、撮影された１枚の画像に複数枚の画像を組み合わせて合成する合成方法を選択させ、
選択された合成方法により、１枚の画像に前記合成用画像を合成した合成画像を利用者に提供する
ステップを含む画像提供処理をコンピュータに実行させるプログラム。
【発明の詳細な説明】
【技術分野】
【０００１】
本開示は、画像提供装置、画像提供方法、並びにプログラムに関し、特に、より利用者の満足度の高い画像を提供することができるようにした画像提供装置、画像提供方法、並びにプログラムに関する。
【背景技術】
【０００２】
従来の画像提供装置は、娯楽（遊戯）施設等に設置され、撮影空間内で被写体を撮影し、利用者を編集空間に移動させ、編集空間内で行われている操作に従って撮影で得た画像に編集（落書き）を行い、編集が施された編集画像又は撮影画像を写真シール紙に印刷するという流れで一ゲームが終了する。
【０００３】
近年では、携帯端末（携帯電話）へ画像送信を行い、インターネットが普及したことにより、個人又は数人のグループで運営され、日々更新されている日記のようなウェブページ（＝プロフ・ブログ・ＳＮＳ（Social Networking Service））に画像提供装置で遊んだ思い出、更に日々の覚え書き・論評を記載して公開するほか、名刺のように使用する目的で、個人のウェブページ（＝プロフ・ブログ・ＳＮＳ）にプロフィール画像として掲載して、友達等に公開している利用者がいる。
【０００４】
そのようなシール機として、それぞれの撮影画像内に検出された顔を識別し、撮影人数が三人以下である場合に、通常撮影以外の特別撮影を行うものがある。この特別撮影は、二人同時に一度の撮影を行うものであり、できあがる画像は、一人一人別々の撮影画像として生成される。これらの撮影画像は、携帯端末を介して、画像送信を行い、ウェブページ等で自分のプロフィール画像として掲載される。
【０００５】
携帯端末に送信された画像を撮影時の利用者の状態、具体的には撮影時の利用者の装いを記録するための記録用画像として保存する目的として、撮影画像に合成用画像を合成する。その合成用画像として一人用合成画像が選択された場合に、１回の撮影で複数名（2名）の利用者がそれぞれについて携帯送信後利用画像として、異なる２枚の画像を得ることができる技術が特許文献１として開示されている。
【０００６】
さらに、複数の撮影画像と被写体を含んだコラージュ合成画像を、予め定められた所定の領域内に配置し、さらに、これらの配置領域以外に背景画像を配置する。また、これらの配置領域は、レイアウト毎に変更されるものであり、コラージュ画像として、ライブビューにより動画像で表示されて撮像し、利用者がそのレイアウトを決定できる技術が特許文献２として開示されている。
【先行技術文献】
【特許文献】
【０００７】
【特許文献１】特許登録５００３８５２号公報
【特許文献２】特開２０１２−１０８５２４号公報
【発明の概要】
【発明が解決しようとする課題】
【０００８】
しかしながら、従来のような写真シール機では、特別撮影を行った利用者は、プロフィール画像として、特別撮影で得た画像を利用することができるが、プロフィール画像以外の用途で使用したい場合（前記の如く、ウェブページのヘッダー・フッター等）では、これらの画像を使用することができず、利用者の満足度を低下させてしまうことになる。例えば、プロフィール画像は、証明写真のように人物だけを大きく撮影した画像であるため、その用途として、ウェブページのプロフィール画像としての使用に適しているものの、デザイン性がないため、プロフィール画像以外の用途でありデザイン性を求めるウェブページのヘッダー・フッター等における使用には適していなかった。
【０００９】
また、これらの用途において、合成画像を変更したい場合においては、その用途として、合成画像を選択する選択パターンが少なかった。
【００１０】
特許文献１においては、生成された画像は、１回の撮影により生成され別個に編集された画像であり、２枚の一人用画像の一部が重なりあって合成されている。つまり、画像としては重なりあって表示されているところに特徴があり、換言すれば、固定的なレイアウトであるため、利用者にとって気にいらない場合でも、合成画像の種類が非常に少なく、利用者がその用途に合わせて合成画像を選択したい場合に、選択肢が狭く不満が生じ、利用者の満足度を低下させてしまう。
【００１１】
特許文献２においては、複数の撮影画像と被写体を含んだコラージュ合成画像と背景画像とでコラージュ合成画像を生成するが、そのレイアウトの種類も複数枚から選択するのみであり、レイアウト自体も固定的であった。例えば、利用者が撮影画像を1枚だけ配置したい場合においても、レイアウトが固定的であるため、自動的に複数枚の撮影画像が選択されてしまうため、プロフィール画像としても、更にウェブページのヘッダー・フッター・本文で使用することが困難であった。
【００１２】
本開示は、このような状況に鑑みてなされたものであり、より利用者の満足度の高い画像を提供することができるようにするものである。
【課題を解決するための手段】
【００１３】
本開示の一側面の画像提供装置は、利用者を被写体として、所定の撮影手順で１以上の種類の撮影を行う撮影部と、前記撮影部により撮影された１枚の画像に所定のデザインが施された合成用画像を合成する合成方法、または、前記撮影部により撮影された１枚の画像に複数枚の画像を組み合わせて合成する合成方法を選択させる選択部と、前記選択部により選択された合成方法により、１枚の画像に前記合成用画像を合成した合成画像を利用者に提供する提供部とを備える。
【００１４】
本開示の一側面の画像提供方法またはプログラムは、利用者を被写体として、所定の撮影手順で１以上の種類の撮影を行い、撮影された１枚の画像に所定のデザインが施された合成用画像を合成する合成方法、または、撮影された１枚の画像に複数枚の画像を組み合わせて合成する合成方法を選択させ、選択された合成方法により、１枚の画像に前記合成用画像を合成した合成画像を利用者に提供するステップを含む。
【００１５】
本開示の一側面においては、利用者を被写体として、所定の撮影手順で１以上の種類の撮影が行われ、撮影された１枚の画像に所定のデザインが施された合成用画像を合成する合成方法、または、撮影された１枚の画像に複数枚の画像を組み合わせて合成する合成方法が選択され、その選択された合成方法により、１枚の画像に合成用画像を合成した合成画像が利用者に提供される。
【発明の効果】
【００１６】
本開示の一側面によれば、より利用価値の高い画像を提供することができる。
【図面の簡単な説明】
【００１７】
【図１】本発明の一実施形態に係る情報処理システムの構成例を示す図である。
【図２】写真シール作成装置の外観の構成例を示す斜視図である。
【図３】写真シール作成装置の外観を他の角度からみた斜視図である。
【図４】利用者の移動について説明する図である。
【図５】撮影部の構成例を示す図である。
【図６】背景部の構成例を示す図である。
【図７】編集部の構成例を示す図である。
【図８】事後接客部の構成例を示す図である。
【図９】写真シール作成装置の内部の構成例を示すブロック図である。
【図１０】写真シール作成装置の機能構成例を示すブロック図である。
【図１１】管理サーバの構成例を示すブロック図である。
【図１２】携帯端末の構成例を示すブロック図である。
【図１３】写真シール作成装置における処理の詳細を説明するフローチャートである。
【図１４】デザイン特別撮影画像の例を示す図である。
【図１５】コラージュ特別撮影画像の例を示す図である。
【図１６】撮影処理を説明するフローチャートである。
【図１７】通常撮影画面の例を示す図である。
【図１８】ガイダンス画面の例を示す図である。
【図１９】特別撮影画面の例を示す図である。
【図２０】プレビュー画面の例を示す図である。
【図２１】編集処理を説明するフローチャートである。
【図２２】名前入力画面の例を示す図である。
【図２３】名前入力画面の例を示す図である。
【図２４】名前入力画面の例を示す図である。
【図２５】特別撮影選択画面の例を示す図である。
【図２６】特別撮影選択画面の例を示す図である。
【図２７】特別撮影選択画面の例を示す図である。
【図２８】分割パターン選択画面の例を示す図である。
【図２９】分割パターン選択画面の例を示す図である。
【図３０】分割パターン選択画面の例を示す図である。
【図３１】画像編集画面の例を示す図である。
【図３２】画像編集画面の例を示す図である。
【図３３】携帯送信処理を説明するフローチャートである。
【図３４】送信方法の選択画面の例を示す図である。
【図３５】メールアドレス入力画面の例を示す図である。
【図３６】画像選択画面の例を示す図である。
【図３７】非接触通信利用画面の例を示す図である。
【図３８】特別撮影選択画面の変形例を示す図である。
【図３９】特別撮影選択画面の変形例を示す図である。
【図４０】特別撮影選択画面の変形例を示す図である。
【図４１】特別撮影選択画面の変形例を示す図である。
【図４２】特別撮影選択画面の変形例を示す図である。
【図４３】シール紙のレイアウトの例を示す図である。
【図４４】シール紙のレイアウトの例を示す図である。
【図４５】シール紙のレイアウトの例を示す図である。
【図４６】シール紙のレイアウトの例を示す図である。
【図４７】シール紙のレイアウトの例を示す図である。
【図４８】シール紙のレイアウトの例を示す図である。
【図４９】コラージュ特別撮影画像の変形例を示す図である。
【発明を実施するための形態】
【００１８】
以下、本技術を適用した具体的な実施の形態について、図面を参照しながら詳細に説明する。
【００１９】
［情報処理システムの構成例］
図１は、本発明の一実施形態に係る情報処理システムの構成例を示す図である。図１の情報処理システムは、写真シール作成装置１、携帯端末２、および管理サーバ３から構成される。携帯端末２は、写真シール作成装置１が提供するゲームを行い、シール紙を受け取る利用者が携帯している携帯電話機などの端末装置であり、管理サーバ３は、例えば写真シール作成装置１のメーカーが管理する情報処理装置である。
【００２０】
写真シール作成装置１には、非接触型IC（Integrated Circuit）との間で近接通信を行うリーダ／ライタが設けられ、携帯端末２には非接触型ICが内蔵されている。図１の情報処理システムにおいて、写真シール作成装置１と携帯端末２の間の情報の送受信は、携帯端末２が写真シール作成装置１のリーダ／ライタにかざされたときに、非接触型ICを用いた近接通信により行われる。写真シール作成装置１と管理サーバ３の間、携帯端末２と管理サーバ３の間の情報の送受信は、インターネットなどのネットワークを介して行われる。
【００２１】
写真シール作成装置１には携帯送信の機能が用意されている。携帯端末２の利用者は、写真シール作成装置１が提供する写真シール作成ゲームにおいて携帯送信の機能を利用することができる。
【００２２】
携帯送信は、写真シール作成装置１で作成した画像が携帯端末２で見ることができるように、写真シール作成装置１で作成した画像を管理サーバ３に送信する機能である。例えば撮影画像の編集が終了したとき、利用者は、写真シール作成装置１の画面に表示される画像の中から、管理サーバ３に保存しておく画像を選択する。
【００２３】
利用者により選択された画像は、利用者により入力されたメールアドレスとともに管理サーバ３に送信され、管理サーバ３が有する記憶媒体に保存（記憶）される。保存先を表すURL（Uniform Resource Locator）を含む電子メールが管理サーバ３から携帯端末２に送信され、利用者が携帯端末２を操作して電子メールに含まれるURLに対するアクセスを指示したとき、URLに基づいてアクセスが行われ、写真シール作成装置１から管理サーバ３に送信しておいた画像が携帯端末２のモニタに表示される。
【００２４】
携帯端末２の利用者は、携帯端末２のモニタに表示させた画像を待ち受け画面に設定したり、インターネット上で公開されている利用者のウェブページに画像をアップロードしたりすることができる。
【００２５】
［写真シール作成装置の構成例］
図２は、本発明の一実施形態に係る写真シール作成装置１の外観の構成例を示す斜視図である。
【００２６】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２７】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２８】
写真シール作成装置１は、主に、後述する撮影空間内に設けられた撮影ユニット１１、編集部１２、および事後接客部１３から構成される。撮影ユニット１１と編集部１２が接した状態で設置され、編集部１２と事後接客部１３が接した状態で設置される。
【００２９】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３０】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３１】
なお、利用者の操作入力を受け付けるタッチパネルモニタとは別に、利用者のライブビュー（動画像）を表示するライブビューモニタが設けられるようにしてもよい。
【００３２】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂから構成される。
【００３３】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３４】
撮影部２１の側面パネル４２Ａ、連結部２３Ａ、および背景部２２の側面パネル５２Ａに囲まれることによって形成される開口が撮影空間の出入り口Ｇ１となる。出入り口Ｇ１の反対側に位置し、撮影部２１の側面パネル４２Ｂ、連結部２３Ｂ、および背景部２２の側面パネル５２Ｂに囲まれることによって形成される開口も撮影空間の出入り口Ｇ２となる。
【００３５】
背景部２２の上部には、背面パネル５１、側面パネル５２Ａ、および側面パネル５２Ａの反対側に位置する側面パネル５２Ｂによって支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３６】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、利用者が所望する背景画像をカーテンの部分に合成することができるようにしてもよい。
【００３７】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３８】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３９】
図２に示す編集部１２の構成を正面側の構成とすると、２組の利用者が同時に編集処理を行うことができるように、編集部１２の正面側と背面側には編集処理に用いられる構成がそれぞれ設けられる。
【００４０】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂが設けられる。
【００４１】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４２】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４３】
図３は、写真シール作成装置１を別の角度から見た斜視図である。
【００４４】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４５】
図３に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４６】
ここで、写真シール作成ゲームの流れと、それに伴う利用者の移動について図４を参照して説明する。図４は、写真シール作成装置１を上から見た平面図である。
【００４７】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４８】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４９】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。また、図示はしないが、撮影部２１に設置のスピーカから移動先の案内がされてもよい。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５０】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５１】
画像の印刷が終了したとき、利用者は、事後接客部１３に設けられた排出口からシール紙を受け取り、一連の写真シール作成ゲームを終えることになる。
【００５２】
次に、装置の各部の構成について説明する。
【００５３】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５４】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５５】
正面パネル４１のほぼ中央には撮影・表示ユニット８１が設けられる。撮影・表示ユニット８１は、カメラ９１、正面ストロボ９２、およびタッチパネルモニタ９３から構成される。
【００５６】
カメラ９１は、ＣＣＤ (Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５７】
カメラ９１を囲むように発光面が設けられた正面ストロボ９２は、他のストロボと同様にカメラ９１による撮影に合わせて発光し、被写体としての利用者の顔付近を正面から照射する。
【００５８】
カメラ９１の下側に設けられたタッチパネルモニタ９３は、ＬＣＤ(Liquid Crystal Display)などのモニタと、それに積層されたタッチパネルにより構成される。タッチパネルモニタ９３は、カメラ９１により取り込まれた動画像を表示するライブビューモニタとしての機能と、各種のＧＵＩ(Graphical User Interface)画像を表示し、利用者の選択操作をタッチパネルにより受け付ける機能とを備えている。タッチパネルモニタ９３には、適宜、背景等の画像が合成された後の動画像が表示される。
【００５９】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６０】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６１】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。
【００６２】
足元ストロボ８６の右側には、利用者がお金を投入する硬貨投入返却口８７が設けられる。
【００６３】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、ＢＧＭ(Back Ground Music)、効果音等の音を出力するスピーカも設けられる。
【００６４】
図６は、背景部２２の撮影空間Ａ１側の構成例を示す図である。
【００６５】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１−１および背面中央ストロボ１０１−２が取り付けられる。
【００６６】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００６７】
図７は、編集部１２の正面側（編集空間Ａ２−１側）の構成例を示す図である。
【００６８】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６９】
タブレット内蔵モニタ１３１は、タッチペン１３２Ａまたは１３２Ｂを用いて操作入力が可能なタブレットがＬＣＤなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７０】
編集部１２の左側には事後接客部１３が設けられる。
【００７１】
図８は、事後接客部１３の正面側の構成例を示す図である。
【００７２】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客処理に用いられる画面が表示される。
【００７３】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００７４】
非接触型ICリーダ／ライタ１６３は、近接された非接触型ICと通信を行い、非接触型ICからのデータの読み出しや非接触型ICに対するデータの書き込みを行う。
【００７５】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７６】
スピーカ１６５は、事後接客処理の案内音声、ＢＧＭ、効果音等の音を出力する。
【００７７】
次に、写真シール作成装置１の内部構成について説明する。図９は、写真シール作成装置１の内部の構成例を示すブロック図である。上述した構成と同じ構成には同じ符号を付してある。重複する説明については適宜省略する。
【００７８】
制御部２０１はＣＰＵ (Central Processing Unit)などよりなり、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ (Random Access Memory)２０７が接続される。制御部２０１には、撮影部２１、編集部１２、事後接客部１３、および印刷部２１１の各構成も接続される。
【００７９】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００８０】
通信部２０３はインターネットなどのネットワークのインタフェースであり、制御部２０１による制御に従って外部の装置と通信を行う。
【００８１】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８２】
ＲＯＭ２０６には、制御部２０１において実行されるプログラムやデータが記憶されている。ＲＡＭ２０７は、制御部２０１が処理するデータやプログラムを一時的に記憶する。
【００８３】
撮影部２１は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００８４】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００８５】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８６】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１−１、背面中央ストロボ１０１−２、背面左ストロボ１０２，背面右ストロボ１０３が設けられる。各ストロボの内部には蛍光灯も設けられる。
【００８７】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。
【００８８】
カメラ９１は、制御部２０１による制御に従って撮影を行い、撮影によって得られた画像を制御部２０１に出力する。
【００８９】
編集部１２Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部１２Ｂも編集部１２Ａと同一の構成を有しており、編集空間Ａ２−２における編集処理を行う。
【００９０】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９１】
事後接客部１３は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００９２】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいる利用者を相手とした処理を行う構成となる。
【００９３】
なお、写真シール作成ゲームにおいて作成された画像の用途は、シール紙に印刷されるのみに限られない。例えば、通信部２０３、非接触型ICリーダ／ライタ１６３などを介して写真シール作成ゲームにおいて作成された画像の画像データが利用者の携帯端末などに送信され、携帯端末においてそれらの画像を表示させることも可能である。例えば、利用者は、写真シール作成ゲームにおいて作成された画像を、携帯電話機の待受け画面の画像として利用することもできる。
【００９４】
次に、制御部２０１について説明する。図１０は、制御部２０１がＲＯＭ２０６などに格納されているプログラムを実行することにより実現される機能ブロックの構成例を示している。
【００９５】
制御部２０１は、写真シール作成ゲームを開始する際に投入される代金に関する処理や利用者グループを撮影する等の写真シール作成ゲームの撮影作業の工程に関する処理を行う撮影処理部２８２、撮影画像に対する落書き編集等の写真シール作成ゲームの編集作業の工程に関する処理を行う編集処理部２８３、シール紙の印刷等の写真シール作成ゲームの印刷の工程に関する処理を行う印刷処理部２８４、および、編集作業を終了した利用者グループを接客する写真シール作成ゲームの事後接客の工程に関する処理を行う事後接客処理部２８５を有する。
【００９６】
すなわち制御部２０１は、写真シール作成ゲームの各工程に関する処理の制御を行う。
【００９７】
［管理サーバの構成例］
図１１は、管理サーバ３の構成例を示すブロック図である。CPU(Central Processing Unit)３１１、ROM３１２、RAM３１３は、バス３１４により相互に接続される。
【００９８】
バス３１４には、さらに、入出力インタフェース３１５が接続される。入出力インタフェース３１５には、キーボード、マウスなどよりなる入力部３１６、ディスプレイ、スピーカなどよりなる出力部３１７が接続される。また、入出力インタフェース３１５には、ハードディスクや不揮発性のメモリなどより構成され、各種の情報を記憶する記憶部３１８、ネットワークインタフェースなどより構成され、写真シール作成装置１や携帯端末２と通信を行う通信部３１９、リムーバブルメディア３２１を駆動するドライブ３２０が接続される。
【００９９】
また、記憶部３１８には、写真シール作成装置１から送信されてきた画像、画像の識別情報である画像ＩＤ、携帯端末２のメールアドレスなどの情報が携帯端末ＩＤと紐付けて記憶され、管理される。画像ＩＤは、例えば写真シール作成装置１に割り当てられたＩＤ、日付、連番を組み合わせて構成される。
【０１００】
［携帯端末の構成例］
図１２は、携帯端末２の構成例を示すブロック図である。携帯端末２は、制御部４０１、アンテナ４０２、通信部４０３、記憶部４０４、表示部４０５、非接触型IC４０６、および操作部４０７から構成される。
【０１０１】
制御部４０１は、CPU，ROM，RAMなどよりなり、所定のプログラムを実行し、携帯端末２の全体の動作を制御する。例えば、制御部４０１は、通信部４０３を制御して管理サーバ３と通信を行い、非接触型IC４０６を制御して写真シール作成装置１と通信を行う。
【０１０２】
通信部４０３は、基地局から送信された電波が受信されることに応じてアンテナ４０２から供給された信号の復調処理を行い、復調処理を行うことによって得られた情報を制御部４０１に出力する。また、通信部４０３は、制御部４０１から供給された情報に対して変調処理を施し、得られた信号をアンテナ４０２から送信する。
【０１０３】
記憶部４０４はフラッシュメモリなどよりなり、携帯端末ＩＤ、メールアドレスなどの各種の情報を記憶する。
【０１０４】
表示部４０５はLCDなどよりなり、各種の情報を表示する。例えば表示部４０５には、管理サーバ３から送信されてきた画像であり、写真シール作成装置１から管理サーバ３に送信された画像であり、写りの調整が行われた画面が表示される。
【０１０５】
非接触型IC４０６は、写真シール作成装置１の非接触型ICリーダ／ライタ１６３との通信可能範囲にあるとき、非接触型ICリーダ／ライタ１６３と近接通信を行う。非接触型IC４０６は、記憶部４０４から読み出され、制御部４０１から供給された携帯端末ＩＤを非接触型ICリーダ／ライタ１６３に送信する。
【０１０６】
操作部４０７は各種のボタンや表示部４０５に重ねて設けられたタッチパネルより構成され、利用者の操作の内容を表す信号を制御部４０１に出力する。
【０１０７】
［写真シール作成装置の動作］
次に、図１３のフローチャートを参照して、写真シール作成ゲームを提供する写真シール作成装置１の処理の概略について説明する。写真シール作成装置１は、利用者を被写体として撮影し、その画像を、最終的に利用者に提供する。提供する方法としては、以下に説明するように、シール紙に印刷して提供したり、携帯端末２に送信し、携帯端末２で閲覧できるようにすることで提供したりする。
【０１０８】
ステップＳ１において、写真シール作成装置１の制御部２０１の撮影処理部２８２は、所定の金額分の硬貨が投入されたか否かを硬貨処理部２２１から供給される信号に基づいて判定し、投入されたと判定するまで待機する。
【０１０９】
硬貨が投入されたとステップＳ１において判定した場合、ステップＳ２において、撮影処理部２８２は、撮影部２１を制御し、撮影処理を実行する。このとき、例えば、カメラ９１に取り込まれた被写体の動画像をタッチパネルモニタ９３にライブビュー表示させ、撮影空間Ａ１にいる利用者を被写体として撮影する撮影処理が行われる。
【０１１０】
ステップＳ３において、撮影処理部２８２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２１のタッチパネルモニタ９３に画面を表示させることによって、または音声をスピーカ２２４から出力させることによって行われる。
【０１１１】
ステップＳ４において、編集処理部２８３は、編集空間Ａ２−１と編集空間Ａ２−２のうち、撮影処理を終えた利用者の移動先とした方の編集空間に対応する編集部１２を制御し、編集処理を行う。具体的には、編集処理部２８３は、編集対象画像として選択された撮影画像に合成する合成用画像を利用者に選択させ、選択された合成用画像を撮影画像に合成させ、得られた合成画像に対して、利用者による編集操作に従って編集を行う。
【０１１２】
ステップＳ５において、編集処理部２８３は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１３】
ステップＳ６において、印刷処理部２８４は、利用者により選択された画像をプリンタ２４１に出力してシール紙に印刷させる印刷処理を行う。
【０１１４】
ステップＳ７において、事後接客処理部２８５は、事後接客部１３を制御し、印刷終了待機中の利用者に対する事後接客処理を行う。具体的には、事後接客処理部２８５は、例えば、撮影画像や編集済みの画像を携帯端末に送信する携帯送信処理を事後接客処理として行い、携帯端末の電子メールアドレスの入力画面や、送信する画像の選択画面をタブレット内蔵モニタ１６１に表示させ、利用者による操作に応じて画像を送信する。
【０１１５】
印刷が終了すると、ステップＳ８において、事後接客処理部２８５は、印刷が終了した旨をタブレット内蔵モニタ１６１に表示させ、プリンタ２４１は、画像が印刷されたシール紙をシール紙排出口１６４に排出し、処理を終了させる。
【０１１６】
ここで、写真シール作成装置１では、ステップＳ２の撮影処理において、１回の撮影で１枚の画像を生成する通常撮影と、１回の撮影で取得される画像から複数枚の画像を生成する特別撮影とを行うことができる。例えば、通常撮影では、例えば、撮影空間Ａ１内にいる複数の利用者をそのまま一緒に撮影した画像が生成され、特別撮影では、撮影空間Ａ１内において複数の利用者で一度に撮影を行っても、それぞれの利用者が単独で写されるように切り出した画像が生成される。また、特別撮影では、利用者の胸部より上側が写された画像（いわゆるバストアップ画像）、または、利用者の全身画像が撮影される。以下、適宜、通常撮影で撮影された画像を通常画像（例えば、複数の被写体が写された画像）と称し、特別撮影で撮影されたそれぞれの利用者の画像を特別画像と称する。
【０１１７】
また、写真シール作成装置１では、特別撮影で撮影された特別画像を提供する際に、ノーマル特別撮影、デザイン特別撮影、およびコラージュ特別撮影の３種類の画像のバリエーションを選択することができる。つまり、特別画像を利用してできた複数の画像のバリエーションから選択することができる。
【０１１８】
ノーマル特別撮影では、例えば、ウェブページのプロフィール画像などに利用されるように特別画像のみが提供される。デザイン特別撮影では、特別画像と、特別画像の背景または前景として合成されるデザイン画像とが合成された合成画像であるデザイン特別撮影画像が提供される。コラージュ特別撮影では、特別画像と通常画像とが組み合わされ、それらの背景または前景としてデザイン画像が合成された合成画像であるコラージュ特別撮影画像が提供される。ここで、デザイン画像は、特別画像または通常画像それぞれの前景または背景として合成される絵柄および文字の少なくとも一方がデザインされた合成用画像である。そして、デザイン特別撮影画像およびコラージュ特別撮影画像は、ウェブページのプロフィール画像以外の用途であるブログのヘッダー、フッター、または本文中に利用しやすいように構成される。
【０１１９】
図１４には、デザイン特別撮影を選択したときに提供されるデザイン特別撮影画像の例が示されている。
【０１２０】
図１４Ａに示すように、デザイン特別撮影画像５０１は、絵柄や文字などが描かれたデザイン画像５０２に、撮影された画像から被写体を単独で切り出した矩形の枠で囲われた特別画像５０３が重ね合わされるように合成されて作成される。つまり、デザイン特別撮影画像５０１では、被写体が矩形の枠に囲われた特別画像５０３が、デザイン画像５０２の上に置かれたような合成が行われる。また、画像５０１においてデザイン画像５０２の「ｎａｍｅ」という文字が表示されている部分は、後述する図２３の名前入力画面を利用して入力される利用者の名前に置き換えられる。
【０１２１】
図１４Ｂに示すように、デザイン特別撮影画像５１１は、絵柄や文字などが描かれてデザインされたデザイン画像５１２に、撮影された画像から単独の被写体の輪郭に沿って切り出した特別画像５１３が重ね合わされるように合成されて作成される。つまり、デザイン特別撮影画像５１１では、デザイン画像５１２の前に居る利用者を撮影したように、被写体の輪郭に沿った特別画像５１３の背後にデザイン画像５１２が回り込むような合成が行われる。また、画像５１１においてデザイン画像５１２の「ＮＡＭＡＥ」という文字が表示されている部分は、後述する図２３の名前入力画面を利用して入力される利用者の名前に置き換えられる。
【０１２２】
図１５には、コラージュ特別撮影を選択したときに提供されるコラージュ特別撮影画像の例が示されている。
【０１２３】
図１５Ａに示すように、コラージュ特別撮影画像５２１は、文字など描かれてデザインされたデザイン画像５２２に、撮影された画像から被写体を単独で切り出した矩形の枠で囲われた特別画像５２３と、４枚の通常画像５２４−１乃至５２４−４が組み合わされて作成される。また、画像５２１においてデザイン画像５２２の「ＮＡＭＡＥ」という文字が表示されている部分は、後述する図２３の名前入力画面を利用して入力される利用者の名前に置き換えられる。
【０１２４】
図１５Ｂに示すように、コラージュ特別撮影画像５３１は、絵柄や文字などが描かれてデザインされたデザイン画像５３２に、撮影された画像から単独の被写体の輪郭に沿って切り出した特別画像５３３が重ね合わされるように合成されるとともに、４枚の通常画像５３４−１乃至５３４−４が組み合わされて作成される。つまり、コラージュ特別撮影画像５３１では、デザイン画像５３２の前に居る利用者を撮影したように、被写体の輪郭に沿った特別画像５３３の背後にデザイン画像５３２が回り込むような合成が行われる。
【０１２５】
このように、写真シール作成装置１では、ウェブページのプロフィール画像以外の用途であるブログのヘッダー、フッター、または本文中に利用しやすいように構成されたデザイン特別撮影画像５０１および５１１やコラージュ特別撮影画像５２１および５３１などが提供される。
【０１２６】
次に、図１６は、図１３のステップＳ２の撮影処理を説明するフローチャートである。
【０１２７】
ステップＳ１１において、図１０の撮影処理部２８２は、カメラ９１により取り込まれた画像を解析して、例えば、画像に映されている被写体の顔認識を行って、顔が何個あるかを判断することで画像に映されている被写体の人数を認識する。なお、カメラ９１により取り込まれた画像から被写体の人数を認識する他、例えば、タッチパネルモニタ９３を利用して、利用者に人数の入力を促すようにしてもよい。
【０１２８】
ステップＳ１２において、撮影処理部２８２は、通常撮影を行う。通常撮影では、まず合成用画像とカメラ９１の取り込み画像が合成され、タッチパネルモニタ９３に表示（ライブビュー表示）される。また、タッチパネルモニタ９３等にカウントダウンインジケータが表示され、カメラ９１が制御されて撮影が行われ、撮影画像が得られる。そして撮影画像に合成用画像が合成され、合成画像が生成される。さらに、生成された合成画像がタッチパネルモニタ９３等に表示され、利用者に合成画像（撮影結果）が提示される。なお、以下においては、撮影結果としての合成画像を、単に撮影画像ともいう。そのような撮影が所定回数行われたか否かが判定されるまで、繰り返し行われる。例えば、通常撮影においては、合計６回の撮影が行われ、６枚の撮影画像が取得される。なお、１枚目のコインが投入された時点から所定時間が経過した場合には、５枚の撮影画像が取得されるように処理が変更される。
【０１２９】
例えば、図１７には、通常撮影においてタッチパネルモニタ９３に表示される通常撮影画面５４０が示されている。通常撮影画面５４０では、カメラ９１により撮影中の被写体が映し出されたライブビュー画像５４１が中央に表示され、ライブビュー画像５４１の下側に６枚のポーズ見本画像５４２−１乃至５４２−６が表示される。ポーズ見本画像５４２−１乃至５４２−６は、撮影時に利用者が取るポーズの見本となる画像であり、カメラ９１により画像が撮影されると、ポーズ見本画像５４２−１から順番に、利用者を被写体として撮影された撮影済み画像に置き換えられる。
【０１３０】
ステップＳ１３において、撮影処理部２８２は、ステップＳ１１で認識した被写体の人数が３人以上であるか否かを判定し、被写体の人数が３人以上であると判定した場合には、処理は終了される。
【０１３１】
一方、ステップＳ１３において、撮影処理部２８２が被写体の人数が３人以上でない（即ち、２人または１人）と判定した場合、処理はステップＳ１４に進み、撮影処理部２８２は、特別撮影を行うことを案内するガイダンス画面をタッチパネルモニタ９３に表示する。
【０１３２】
図１８には、ガイダンス画面５５１の表示例が示されている。ガイダンス画面５５１の上側には、特別撮影を行うことを案内するメッセージ「次はトップ画になる「ピン撮」だよ！」が表示され、ガイダンス画面５５１の中央には、特別撮影で撮影される特別画像におけるポーズの見本となる１枚以上のポーズ見本画像５５２が表示される。また、ガイダンス画面５５１の下側には、特別撮影を行わないことを利用者が選択するときにタッチされるボタン５５３が表示される。
【０１３３】
ステップＳ１５において、撮影処理部２８２は、特別撮影を行うか否かを判定する。
【０１３４】
例えば、図１８のボタン５５３を利用者がタッチしないまま所定時間が経過すると、ステップＳ１５において撮影処理部２８２は、特別撮影を行うと判定して処理はステップＳ１６に進む。
【０１３５】
ステップＳ１５において、撮影処理部２８２は、タッチパネルモニタ９３の表示をガイダンス画面５５１から特別撮影画面５６１に切り替えて特別撮影を行う。
【０１３６】
図１９には、特別撮影画面５６１の表示例が示されている。特別撮影画面５６１では、その中央にライブビュー画像５６２および５６３が横に並んで表示される。特別撮影におけるライブビュー画像５６２および５６３では、通常撮影におけるライブビュー画像５４１（図１７）より、小さく、かつ、ズームアップ状態でライブビュー表示され、特別撮影では、被写体の顔を中心にした適当な画像が取得できるような画角となるようにトリミングされて特別画像が生成される。また、特別撮影画面５６１では、ライブビュー画像５６２および５６３の下方に、特別撮影では利用者が単独で撮影されることを示唆するメッセージ「１人ずつ枠の中に入って撮影してね」が表示され、その下方に、ポーズ見本画像５６４および５６５が表示される。利用者は、特別撮影画面５６１のライブビュー画像５６２および５６３の枠内に入るように立ち位置を調整する。これにより、利用者が単独で写される特別画像が生成される。
【０１３７】
ステップＳ１７において、撮影処理部２８２は、ステップＳ１６の特別撮影での撮影結果を確認するためのプレビュー画面５７１をタッチパネルモニタ９３に表示する。
【０１３８】
図２０には、プレビュー画面５７１の表示例が示されている。プレビュー画面５７１の上側には、特別撮影で撮影された画像を確認することを示唆するメッセージ「こんな風にとれたよ！」が表示され、ステップＳ１６の特別撮影で撮影された特別画像５７２および５７３が表示される。利用者がプレビュー画面５７１により確認することで、利用者どうしが重なり合って表示されることが軽減されて、同時に１枚の撮影画像について、被写体の一人ひとりが確実に撮影される。なお、被写体どうしが重なり合って撮影された場合には、後述する編集処理における編集ツールを利用して消去することができる。
【０１３９】
一方、ステップＳ１５において、図１８のボタン５５３を利用者がタッチしたことが検出されると、撮影処理部２８２は特別撮影を行わないと判定して処理はステップＳ１８に進む。
【０１４０】
ステップＳ１８において、撮影処理部２８２は通常撮影を行う。このとき、図１７に示したような撮影画面５４０が表示されて、７枚目の通常画像が撮影される。この７枚目の撮影を行うことにより、特別撮影を行われた利用者と比較しても、同じ撮影回数で利用者が撮影を行えるため、人数による不平等が解消される。
【０１４１】
ステップＳ１７またはＳ１８の処理後、撮影処理は終了し、図１３のステップＳ３に処理が進む。
【０１４２】
このように、写真シール作成装置１では、複数の利用者をそのまま撮影した通常画像と、利用者を単独で撮影した特別画像とを撮影することができる。なお、ステップＳ１６において特別撮影を行う際に、動的処理によって人物を検知し、この検知結果に基づいて、特別画像において利用者が単独で撮影されるように処理を行ってもよい。
【０１４３】
次に、図２１は、図１３のステップＳ４の編集処理を説明するフローチャートである。
【０１４４】
ステップＳ２１において、図１０の編集処理部２８３は、撮影処理において撮影された複数枚の画像の中から、編集処理において編集を行う対象とする所定枚数の画像を選択させる。例えば、上述したように、通常撮影において６枚の通常画像が撮像された場合には、その中から４枚から６枚が選択される。このとき、特別撮影において撮影された特別画像は選択の対象とされない。
【０１４５】
ステップＳ２２において、編集処理部２８３は、図９のタブレット内蔵モニタ１３１に名前入力画面を表示させて、利用者の名前を入力させる名前入力処理を行う。例えば、名前入力処理では、図２２乃至図２４の名前入力画面を参照して後述するように、図１６の撮影処理において特別撮影が行われたときには、特別撮影で撮影された特別画像を選択させて名前が入力される。
【０１４６】
ステップＳ２３において、編集処理部２８３は、図９のタブレット内蔵モニタ１３１に特別撮影選択画面を表示させて、特別撮影で撮影された特別画像を提供する種類を選択させる特別撮影選択処理を行う。例えば、特別撮影選択処理では、図２５乃至図２７の特別撮影選択画面を参照して後述するように、上述したノーマル特別撮影、デザイン特別撮影、およびコラージュ特別撮影のいずれかが選択される。
【０１４７】
ステップＳ２４において、編集処理部２８３は、図９のタブレット内蔵モニタ１３１に分割パターン選択画面を表示させて、写真シール作成装置１が提供するシール紙の分割パターンを利用者に選択させる分割パターン選択処理を行う。例えば、分割パターン選択処理では、図２８乃至図３０の分割パターン選択画面を参照して説明するように、複数の分割パターンのうちのいずれかが選択される。
【０１４８】
ステップＳ２５において、編集処理部２８３は、図９のタブレット内蔵モニタ１３１に画像編集画面を表示させて、利用者に撮影画像に対する編集を行わせる画像編集処理を行う。例えば、画像編集処理では、図３１および図３２の画像編集処理を参照して説明するように、ステップＳ２３で選択された特別撮影の種類に応じて、それぞれ異なった処理が行われる。
【０１４９】
図２２乃至図２４には、図２１のステップＳ２２の名前表示処理において表示される名前入力画面の表示例が示されている。
【０１５０】
名前入力処理では、まず、図２２に示すような名前入力画面５８１が表示される。なお、名前入力画面５８１では、２人の利用者が同時に名前を入力することができるように、左右それぞれに名前を入力するためのＧＵＩが同様に表示される。
【０１５１】
図２２に示すように、名前入力画面５８１では、左側半分において、その上側に選択すべき画像を表示する画像表示部５８２Ｌが表示され、画像表示部５８２Ｌの下方にメッセージ表示部５８３Ｌが表示される。画像表示部５８２Ｌには、特別撮影において撮影された２枚の特別画像５８４Ｌおよび５８５Ｌが表示され、メッセージ表示部５８３Ｌには、画像を選択させることを示唆するメッセージ「先に自分の画像を選んでね」が表示される。
【０１５２】
なお、名前入力画面５８１では、右側半分において、左側と同様に、画像表示部５８２Ｒおよびメッセージ表示部５８３Ｒが表示され、画像表示部５８２Ｒに２枚の特別画像５８４Ｒおよび５８５Ｒが表示される。
【０１５３】
例えば、名前入力画面５８１の左側半分を利用して名前を入力する利用者は、画像表示部５８２Ｌに表示されている特別画像５８４Ｌおよび５８５Ｌのうちの、利用者自身が写されている方をタッチして選択する。同様に、名前入力画面５８１の右側半分を利用して名前を入力する利用者は、画像表示部５８２Ｒに表示されている特別画像５８４Ｒおよび５８５Ｒのうちの、利用者自身が写されている方をタッチして選択する。なお、一方の利用者が、いずれかの特別画像を選択すると、選択されなかった特別画像が、他方の利用者が写されたものとして自動的に選択される。
【０１５４】
このように利用者によって利用者自身が写されている特別画像が選択されると、図２３に示すような名前入力画面５８１が表示される。
【０１５５】
図２３に示すように、名前入力画面５８１では、図２２のメッセージ表示部５８３Ｌおよび５８３Ｒが、名前入力部５８６Ｌおよび５８６Ｒに切り替えられて表示される。図２３の表示例では、名前入力部５８６Ｌには、ひらがなにより名前を入力するためのＧＵＩが表示されており、名前入力部５８６Ｒには、ローマ字により名前を入力するためのＧＵＩが表示されている。
【０１５６】
名前入力部５８６Ｌには、名前表示部５８７Ｌ、文字入力部５８８Ｌ、ひとつ戻るボタン５８９Ｌ、全部消すボタン５９０Ｌ、入力方法変更ボタン５９１Ｌ、および決定ボタン５９２Ｌが表示される。
【０１５７】
名前表示部５８７Ｌは、名前入力部５８６Ｌの上辺近傍の中央から左側に表示され、名前表示部５８７Ｌには、文字入力部５８８Ｌに対するタッチにより選択されたひらがなの文字（名前）が、タッチされた順番で表示される。文字入力部５８８Ｌには、それぞれ表示されているひらがなを入力する際にタッチされる。
【０１５８】
ひとつ戻るボタン５８９Ｌは、名前表示部５８７Ｌの右方に表示され、名前表示部５８７Ｌに表示されている文字の最後の一文字を消去するときにタッチされる。全部消すボタン５９０Ｌは、ひとつ戻るボタン５８９Ｌの右方に表示され、名前表示部５８７Ｌに表示されている全ての文字を消去するときにタッチされる。
【０１５９】
入力方法変更ボタン５９１Ｌは、ひとつ戻るボタン５８９Ｌおよび全部消すボタン５９０Ｌの下方に表示され、ひらがなによる名前の入力と、ローマ字による名前の入力とを変更するときにタッチされる。入力方法変更ボタン５９１Ｌには「ローマ字」と記載されており、入力方法変更ボタン５９１Ｌをタッチすることで、ひらがなによる名前の入力から、ローマ字による名前の入力に変更される。決定ボタン５９２Ｌは、文字入力部５８８Ｌの下方に表示され、名前の入力を決定するときにタッチされる。
【０１６０】
名前入力部５８６Ｒには、名前表示部５８７Ｒ、文字入力部５８８Ｒ、ひとつ戻るボタン５８９Ｒ、全部消すボタン５９０Ｒ、入力方法変更ボタン５９１Ｒ、決定ボタン５９２Ｒが表示され、名前入力部５８６Ｌと同様に、ローマ字による名前の入力が行われる。
【０１６１】
そして、一方の利用者が名前の入力を終了したとき、名前入力画面５８１には、他方の利用者の名前の入力が終了するまで待機することを示唆するメッセージが表示される。
【０１６２】
例えば、名前入力部５８６Ｌの決定ボタン５９２Ｌがタッチされると、図２４に示すように、画像表示部５８２Ｌおよび名前入力部５８６Ｌを覆うようにメッセージ表示部５９３Ｌが表示される。メッセージ表示部５９３Ｌには、メッセージ「隣の人が終わるまでちょっと待っててね」が表示される。
【０１６３】
このように、利用者に、利用者自身が写されている特別画像を選択させ、その上で、名前を入力させることで、利用者の名前と画像を間違いなく一致させることが可能となる。なお、ここでは名前と記述しているが、利用者の本当の名前であっても良いし、ニックネームなどであっても勿論良い。
【０１６４】
また、名前入力画面５８１を利用して入力された名前が、図１４および図１５を参照して上述したように、「ｎａｍｅ」または「ＮＡＭＡＥ」という文字が表示されている部分に置き換えられて表示される。なお、「ｎａｍｅ」または「ＮＡＭＡＥ」という文字以外の文字については、変更することができない。
【０１６５】
図２５乃至図２７には、図２１のステップＳ２３の特別撮影選択処理において表示される特別撮影選択画面の表示例が示されている。
【０１６６】
特別撮影選択処理では、まず、図２５に示すような特別撮影選択画面６０１が表示される。なお、特別撮影選択画面６０１では、２人の利用者が同時に特別撮影の種類を選択することができるように、左右それぞれに特別撮影の種類を選択するためのＧＵＩが同様に表示される。
【０１６７】
図２５に示すように、特別撮影選択画面６０１では、左側半分において上側から順に、ノーマル特別撮影選択ボタン６０２Ｌ、デザイン特別撮影選択ボタン６０３Ｌ、コラージュ特別撮影選択ボタン６０４Ｌ、および、決定ボタン６０５Ｌが表示される。
【０１６８】
ノーマル特別撮影選択ボタン６０２Ｌは、ノーマル特別撮影を選択するときにタッチされる。また、ノーマル特別撮影選択ボタン６０２Ｌには、ノーマル特別撮影により撮影される画像、即ち、利用者の胸部より上側が写された画像のイメージを利用者に伝えるためのイメージ画像が表示される。
【０１６９】
デザイン特別撮影選択ボタン６０３Ｌは、デザイン特別撮影を選択するときにタッチされる。また、デザイン特別撮影選択ボタン６０３Ｌには、デザイン特別撮影により撮影される画像、例えば、図１４に示したデザイン特別撮影画像５０１および５１１のようなイメージを利用者に伝えるためのイメージ画像が表示される。
【０１７０】
コラージュ特別撮影選択ボタン６０４Ｌは、コラージュ特別撮影を選択するときにタッチされる。コラージュ特別撮影選択ボタン６０４Ｌには、コラージュ特別撮影により撮影される画像、例えば、図１５に示したコラージュ特別撮影画像５２１および５３１のようなイメージを利用者に伝えるためのイメージ画像が表示される。
【０１７１】
決定ボタン６０５Ｌは、特別撮影の種類の選択を決定するときにタッチされる。
【０１７２】
また、同様に、特別撮影選択画面６０１の右側半分には、ノーマル特別撮影選択ボタン６０２Ｒ、デザイン特別撮影選択ボタン６０３Ｒ、コラージュ特別撮影選択ボタン６０４Ｒ、および、決定ボタン６０５Ｒが表示される。
【０１７３】
例えば、特別撮影選択画面６０１の左側半分を利用して名前を入力する利用者は、ノーマル特別撮影選択ボタン６０２Ｌ、デザイン特別撮影選択ボタン６０３Ｌ、およびコラージュ特別撮影選択ボタン６０４Ｌのいずれかを選択してタッチした後に、決定ボタン６０５Ｌをタッチすることで、選択した特別撮影の種類が決定される。同様に、特別撮影選択画面６０１の右側半分を利用して名前を入力する利用者は、ノーマル特別撮影選択ボタン６０２Ｒ、デザイン特別撮影選択ボタン６０３Ｒ、およびコラージュ特別撮影選択ボタン６０４Ｒのいずれかを選択してタッチした後に、決定ボタン６０５Ｒをタッチすることで、選択した特別撮影の種類が決定される。
【０１７４】
このように、利用者は、特別撮影選択画面６０１を利用して、ノーマル特別撮影、デザイン特別撮影、およびコラージュ特別撮影のいずれかを選択することができる。また、２人の利用者で共通の１つの特別撮影の種類だけが選択されるのではなく、特別撮影選択画面６０１の左側半分を利用して名前を入力する利用者と、特別撮影選択画面６０１の右側半分を利用して名前を入力する利用者とで、それぞれ異なる特別撮影の種類を選択することができる。これにより、それぞれの利用者が各自の嗜好にあった特別撮影の種類を選択することができる。もちろん、２人の利用者で共通の１つの特別撮影の種類を選択するようにしてもよい。
【０１７５】
なお、例えば、利用者が、ノーマル特別撮影選択ボタン６０２Ｌ、デザイン特別撮影選択ボタン６０３Ｌ、およびコラージュ特別撮影選択ボタン６０４Ｌのいずれかを選択してタッチした後に、決定ボタン６０５Ｌをタッチする前に所定の設定時間が経過したときには、その時点でタッチしていた特別撮影の種類が選択される。また、利用者が、ノーマル特別撮影選択ボタン６０２Ｌ、デザイン特別撮影選択ボタン６０３Ｌ、およびコラージュ特別撮影選択ボタン６０４Ｌのいずれもタッチしないまま所定の設定時間が経過したときには、ノーマル特別撮影が選択される。
【０１７６】
そして、一方の利用者が特別撮影の種類の選択を決定したとき、特別撮影選択画面６０１には、他方の利用者の名前の入力が終了するまで待機することを示唆するメッセージが表示される。
【０１７７】
例えば、決定ボタン６０５Ｌがタッチされると、図２６に示すように、特別撮影選択画面６０１の左側半分を覆うようにメッセージ表示部６０６Ｌが表示される。メッセージ表示部６０６Ｌには、メッセージ「隣の人が終わるまでちょっと待っててね」が表示される。
【０１７８】
また、特別撮影選択画面６０１においてコラージュ特別撮影を選択した場合には、コラージュ特別撮影を選択したときに提供される画像のパターンを選択することができる。例えば、特別撮影選択画面６０１の右側において、コラージュ特別撮影選択ボタン６０４Ｌがタッチされると、図２７に示すようなコラージュ特別撮影画像選択部６０８Ｒが表示される。
【０１７９】
図２７の例では、コラージュ特別撮影画像選択部６０８Ｒにおいては、縦×横に３×３となるように配置され、それぞれ異なるデザインとされた９枚のコラージュ特別撮影画像が表示される。このとき、コラージュ特別撮影画像選択部６０８Ｒには、特別撮影で撮影された利用者自身の特別画像が用いられたコラージュ特別撮影画像が表示される。利用者は、これらのコラージュ特別撮影画像の中から所望のコラージュ特別撮影画像をタッチして選択し、決定ボタン６０５Ｒをタッチして、その選択を決定することができる。
【０１８０】
また、入れ替えボタン６０９Ｒをタッチすることで、コラージュ特別撮影画像選択部６０８Ｒに表示されているコラージュ特別撮影画像に使用される通常画像を入れ替えることができる。例えば、６回の通常撮影を行い、コラージュ特別撮影画像選択部６０８Ｒのコラージュ特別撮影画像に４枚の通常画像が配置される場合、入れ替え前において１枚目から４枚目までの通常画像が順番で配置される。そして、入れ替えボタン６０９Ｒをタッチすることで、表示されていた通常画像が、５枚目、６枚目、１枚目、および２枚目の順番で通常画像に入れ替えられる。これにより、利用者は、通常撮影の写りや表情などから、コラージュ特別撮影画像のどの位置に通常画像を配置するかを選択することができ、また、利用者の嗜好に合った通常画像を選択することができる。なお、変形例として、複数の特別画像が配置されているコラージュ特別撮影画像においても、同様に、特別画像の入れ替えを行うことができる。
【０１８１】
図２８乃至図３０には、図２１のステップＳ２４の分割パターン選択処理において表示される分割パターン選択画面の表示例が示されている。
【０１８２】
図２８に示すように、分割パターン選択画面６２１では、タブにより分割パターンが４種類に分類されている。即ち、タブ６２２には、２人用の分割パターンが分類され、タブ６２３には、３・４人用の分割パターンが分類され、タブ６２４には、大分割・小分割の分割パターンが分類され、タブ６２５には、記念日分割の分割パターンが分類されている。
【０１８３】
図２８では、タブ６２２が選択されたときに表示される２人用の分割パターンが表示されている。２人用の分割パターンでは、２人の利用者がそれぞれ分割パターンを選択することができる。
【０１８４】
２人用の分割パターンとして、パターン表示部６２７Ｌに、図２８の例では、８種類のパターンが例示されている。利用者は、これらの例示されているパターンの中から好みの分割パターンを選択する。選択されているパターンには、アンカなどが表示され、利用者は、どのパターンが選択されている状態であるかを認識できるように構成されている。
【０１８５】
また、選択されているパターンだと、どのように印刷されるかを例示するサンプル表示部６２６Ｌが、パターン表示部６２７Ｌの左側に設けられている。サンプル表示部６２６Ｌには、パターン表示部６２７Ｌにあるパターンの中から選択されたパターンのレイアウトで画像が表示される。そして、分割パターン選択画面６２１では、図２５の特別撮影選択画面６０１の左側半分に対する利用者の選択に従った表示が行われ、図２８の例では、サンプル表示部６２６Ｌの最上段にデザイン特別撮影画像が表示されている。利用者は、サンプル表示部６２６Ｌを見ることで、印刷される自己の画像を確認しつつ、所望の分割パターンを選択することができる。
【０１８６】
利用者は、選択されている分割パターンで決定するとき、パターン表示部６２７Ｌの下側に表示されているＯＫボタン６２８Ｌを操作する。このようにして分割パターンが選択される。
【０１８７】
図２８に示した画面例においては、右側にも、サンプル表示部６２６Ｒ、パターン表示部６２７Ｒ、ＯＫボタン６２８Ｒが表示されている。また、サンプル表示部６２６Ｒの最上段には、図２５の特別撮影選択画面６０１の右側半分に対する選択に従って、図２８の例では、コラージュ特別撮影画像が表示されている。なお、撮影人数が２人以下の場合（分割パターンとして２人用が選択された場合）、２人の利用者がそれぞれ左右に設けられた画面を用いて、所望の分割パターンを選択することができる。
【０１８８】
図２９では、タブ６２３が選択されたときに表示される３・４人用の分割パターンが表示されている。
【０１８９】
３人用・４人用の分割パターンとして、パターン表示部６３０に、図２９の例では、２種類のパターンが例示されている。この２種類のパターンは、３人用の分割パターンと、４人用の分割パターンである。このように、３人用・４人用の分割パターンの選択画面においては、３人で撮影したのか、４人で撮影したのかによりパターンが決定される。
【０１９０】
このような３人用・４人用の分割パターンが、仮に、２人で撮影した利用者達に提示されると、利用者は、２人用のパターンを表示させるために、タブ６２２を操作しなくてはならない。しかしながら、上記したように、２人で撮影したことが検出されているときには、タブ６２２が選択され、２人用の分割パターンが表示されている図２８に示したような画面が、利用者に提示される。よって、上記したように、２人の撮影時に最も適した分割パターンを、利用者の手を煩わすことなく提示することが可能となる。
【０１９１】
図２９に示した画面においても、図２８に示した画面と同じく、選択されているパターンだと、どのように印刷されるかを例示するサンプル表示部６２９が、パターン表示部６３０の左側に設けられている。利用者は、選択されている分割パターンで決定するとき、パターン表示部６３０の下側に表示されているＯＫボタン６２８を操作する。このようにして分割パターンが選択される。
【０１９２】
図２９に示した画面は、３人以上の利用者が撮影したと検出されているときに、分割パターンの選択画面として最初に利用者に提示される。よって、３人以上の撮影人数のときでも、利用者の手を煩わすことなく最適な分割パターンが選択できるようになっている。
【０１９３】
図３０では、タブ６２４が選択されたときに表示される小分割・大分割の分割パターンが表示されている。
【０１９４】
小分割・大分割の分割パターンとして、パターン表示部６３２には、小分割の分割パターンと、大分割の分割パターンの２種類のパターンが表示されている。この小分割・大分割のパターンは、５人以上の撮影人数で撮影したときなどに用いると最適なパターンとされている。
【０１９５】
図３０に示した画面においても、図２８に示した画面と同じく、選択されているパターンだと、どのような配置で印刷されるかを例示するサンプル表示部６３１が、パターン表示部６３２の左側に設けられている。利用者は、選択されている分割パターンで決定するとき、パターン表示部６３２の下側に表示されているＯＫボタン６２８を操作する。このようにして分割パターンが選択される。
【０１９６】
図３０に示した画面は、例えば、５人以上の撮影人数であるかを検出するようにした場合であり、５人以上の撮影人数であると検出されたときに、分割パターンの選択画面として最初に提示される。
【０１９７】
なお、ここでは上記したように、撮影人数に応じた分割パターンの選択画面が最初に提示されるとして説明するが、撮影人数によらず、図２８に示した選択画面（２人以下のときの選択画面）が、最初に利用者に提示されるようにしても良い。このような仕様とすることで、例えば、利用者が３人で、そのうちの２人が特別撮影を行い、３人用の分割パターンを選択したいような場合にも対応できる。なお、図２８のサンプル表示部６２６Ｌおよび６２６Ｒ、図２９のサンプル表示部６２９、並びに、図３０のサンプル表示部６３１では、全て同じ通常画像が表示されているが、ここには、通常撮影で撮影された複数枚の通常画像のうち、シール紙に印刷する対象として選択されている通常画像が表示される。
【０１９８】
図３１および図３２には、図２１のステップＳ２５の画像編集処理において表示される画像編集画面の表示例が示されている。
【０１９９】
図３１に示すように、画像編集画面６４１では、２人の利用者が同時に画像を編集することができるように、左右それぞれに画像を編集するためのＧＵＩが同様に表示される。図３１の例では、画像編集画面６４１の左側半分には、デザイン特別撮影が選択されたときのＧＵＩが表示されており、画像編集画面６４１の右側半分には、コラージュ特別撮影が選択されたときのＧＵＩが表示されている。
【０２００】
画像編集画面６４１の左側の上方には画像選択部６４５Ｌが設けられ、ここには、撮影処理後に編集対象として選択された４〜６枚の撮影画像がそれぞれ縮小して表示される。また、画像選択部６４５Ｌの右端には特別画像が縮小して表示される。
【０２０１】
画像選択部６４５Ｌから選択された撮影画像が、画像選択部６４５Ｌの下に形成された編集対象画像表示部６４２Ｌに拡大して表示される。図３１の例においては、画像選択部６４５Ｌに表示される７枚の画像のうち、右端の特別画像が編集対象としてカーソルＣによって選択され、編集対象画像表示部６４２Ｌには、その特別画像を用いて作成されるデザイン特別撮影画像が表示されている。また、編集対象画像表示部６４２Ｌには、被写体どうしが重なり合って撮影された場合に、他方の被写体を消去するための編集ツールが表示される。
【０２０２】
同様に、編集画面の右側の上方には画像選択部６４５Ｒが設けられる。ここで、画像編集画面６４１の右側半分にはコラージュ特別撮影が選択されたときの表示であり、コラージュ特別撮影が選択されたときには、コラージュ特別撮影画像に対して編集処理を行うことができない（編集が禁止されている）ため、画像選択部６４５Ｒの右端には、特別画像が非表示とされている。なお、コラージュ特別撮影が選択されたときでも、通常画像に対しては編集処理を行うことができる。コラージュ特別撮影画像に対して編集処理を行うことができないのは、コラージュ特別撮影画像のデザインとしての完成度が高く編集を施す必要がないためである。さらに、コラージュ特別撮影画像を選択した時は、図２７で図示するようにコラージュ特別撮影画像のパターンを利用者に選択させることで、編集前に完成度の高い利用者の嗜好にあったものを提供することができる。
【０２０３】
編集対象画像表示部６４２Ｌの下にはコンテンツパレット６４３Ｌが表示される。コンテンツパレット６４３Ｌには、編集対象画像表示部６４２Ｌに表示されるデザイン特別撮影画像のパターンや、背景または前景となるデザイン画像を選択するための様々な種類のデザイン特別撮影画像が表示される。また、コンテンツパレット６４３Ｌでは、デザイン画像の種類がタブによって分類されており、例えば、シンプルなデザイン画像や、おしゃれなデザイン画像などをタブの選択によってコンテンツパレット６４３Ｌに表示することができる。例えば、１つのタブには、６枚のデザイン特別撮影画像が表示されており、利用者は、例えば、２つのタブによって表示を切り替えることにより、１２枚の中から所望のデザイン特別撮影画像を選択することができる。
【０２０４】
また、コンテンツパレット６４３Ｌには、人物を非表示にしてデザイン画像だけを表示するためのボタン、および、デザイン画像に人物を合成して表示したりするためのボタンが表示されている。例えば、人物を非表示にしてデザイン画像だけを表示するためのボタンをタッチすることにより、コンテンツパレット６４３Ｌに表示されるデザイン特別撮影画像から人物が非表示とされるので、利用者は、所望のデザイン画像を選択し易くなる。
【０２０５】
編集対象画像表示部６４２Ｌの右側には、各種のボタンが表示されるボタン表示部６４６Ｌが表示される。図３１の例においては、撮影画像の編集を終了するときに操作される終了ボタン、編集対象画像表示部７１１Ｌに入力した画像を部分的に消去するときに用いられる消しゴムボタン、編集をはじめからやり直すときに操作されるボタン、１セット前に戻るときに操作されるボタン、編集の内容を一操作後の状態に戻すときに操作されるボタン、および、編集の内容を一操作前の状態に戻すときに操作されるボタンがボタン表示部７１６Ｌに表示されている。
【０２０６】
画像編集画面６４１の中央上方には、編集作業に割り当てられた制限時間の残り時間（図中のTime）と、BGMの選択に用いられるGUIが表示される。また、その下方には、携帯端末の待機中に表示される待ち受け画面などの作成を行うための作成ボタン６４８Ｌおよび６４８Ｒ、テキストデータに添付される装飾画像の作成を行うためのオリジナルデコメの作成ボタン６４７Ｌおよび６４７Ｒが表示されている。
【０２０７】
画像編集画面６４１の右側には、画像選択部６４５Ｒから選択された撮影画像が、画像選択部６４５Ｒの下に形成された編集対象画像表示部６４２Ｒに拡大して表示される。コラージュ特別撮影が選択されたときには、コラージュ特別撮影画像に対して編集処理を行うことができないため、編集対象画像表示部６４２Ｒには、編集の対象となる通常画像が拡大して表示される。
【０２０８】
編集対象画像表示部６４２Ｒの下にはコンテンツパレット６４３Ｒが表示され、コンテンツパレット６４３Ｒの左側には、編集処理に用いるペンツールやスタンプツールを選択するためボタンが表示されたツールボタン６４４Ｒが表示される。なお、画像編集画面６４１の左側において、編集対象画像表示部６４２Ｌにデザイン特別撮影画像が表示されている場合、デザイン特別撮影画像に対してペンツールやスタンプツールを使用した編集を行うことはできないため、ツールボタン６４４Ｌでは、編集処理に用いるペンツールやスタンプツールを選択するためボタンは非表示とされる。
【０２０９】
なお、図３１のように、画像編集画面６４１の左側半分においてデザイン特別撮影画像に対する編集が行われ、画像編集画面６４１の右側半分においてコラージュ特別撮影画像に対する編集が行われる場合の分割パターンの選択時には、左側にデザイン特別撮影画像のレイアウトが提供され、右側にコラージュ特別撮影画像のレイアウトが提供される。
【０２１０】
図３２には、ノーマル特別撮影が選択されたときの画像編集画面６４１が表示されている。なお、図３２には、画像編集画面６４１の右側半分だけが示されている。
【０２１１】
図３２に示すように、ノーマル特別撮影が選択され場合、画像編集画面６４１の編集対象画像表示部６４２Ｒには、画像選択部６４５Ｌから選択された特別画像が拡大して表示される。また、コンテンツパレット６４３Ｒには、特別画像の背景となるデザイン画像を選択するために、様々なデザイン画像が背景に合成された複数の特別画像が表示される。また、コンテンツパレット６４３Ｒにも、人物を非表示にしてデザイン画像だけを表示するためのボタン、および、デザイン画像に人物を合成して表示したりするためのボタンが表示される。
【０２１２】
図３３は、図１３のステップＳ７において、図１０の事後接客処理部２８５が事後接客処理において行う携帯送信処理を説明するフローチャートである。
【０２１３】
ステップＳ３１において、事後接客処理部２８５は、事後接客部１３のタブレット内蔵モニタ１６１に、後述する図３４に示す送信方法の選択画面を表示する。送信方法の選択画面では、非接触通信およびメールアドレス入力のいずれかを選択することができる。
【０２１４】
ステップＳ３２において、事後接客処理部２８５は、利用者により非接触通信が選択されたか否かを判定する。
【０２１５】
ステップＳ３２において、事後接客処理部２８５が、利用者により非接触通信が選択されていないと判定した場合、処理はステップＳ３３に進む。ステップＳ３３において、事後接客処理部２８５は、事後接客部１３のタブレット内蔵モニタ１６１に、後述する図３５Ａに示す画像選択画面を表示する。利用者が、画像選択画面を利用して携帯端末２に送信する画像を選択すると、処理はステップＳ３４に進む。
【０２１６】
ステップＳ３４において、事後接客処理部２８５は、事後接客部１３のタブレット内蔵モニタ１６１に、後述する図３５Ｂに示すメールアドレス入力画面を表示する。利用者が、メールアドレス入力画面を利用して携帯端末２のメールアドレスを入力すると、ステップＳ３３で選択された画像の取得情報（ＵＲＬ）が電子メールにより携帯端末２に送信され、処理はステップＳ３５に進む。
【０２１７】
ステップＳ３５において、事後接客処理部２８５は、メールアドレスの入力または非接触型ＩＣでの通信を行っていない他の利用者が残っているか否かを判定し、他の利用者が残っていると判断された場合、処理はステップＳ３３に戻り、以下、同様の処理が繰り返される。
【０２１８】
一方、ステップＳ３２において、事後接客処理部２８５が、利用者により非接触通信が選択されたと判定した場合、処理はステップＳ３６に進む。ステップＳ３６において、事後接客処理部２８５は、事後接客部１３のタブレット内蔵モニタ１６１に、後述する図３６に示す画像選択画面を表示する。利用者が、画像選択画面を利用して携帯端末２に送信する画像を選択すると、処理はステップＳ３７に進む。
【０２１９】
ステップＳ３７において、事後接客処理部２８５は、非接触型ICリーダ／ライタ１６３を非接触通信可能な状態にするとともに、事後接客部１３のタブレット内蔵モニタ１６１に、後述する図３７に示す非接触通信利用画面を表示する。利用者が、非接触通信利用画面の案内に従って、携帯端末２を非接触型ICリーダ／ライタ１６３に近接させると、ステップＳ３６で選択された画像の取得情報（ＵＲＬ）が非接触型ICリーダ／ライタ１６３から携帯端末２に送信され、処理はステップＳ３５に進む。
【０２２０】
ステップＳ３５において、事後接客処理部２８５が、メールアドレスの入力または非接触型ＩＣでの通信を行っていない他の利用者が残っていないと判定した場合、携帯送信処理は終了される。携帯送信処理が終了されると、処理は図１３のステップＳ８に進む。また、このような画像送信係わる処理に割り当てる時間として設定されている所定の時間が経過したときも、携帯送信処理は終了される。
【０２２１】
以上のように、写真シール作成装置１では、非接触通信またはメールアドレス入力のいずれかの送信方法により画像の取得情報を携帯端末２に送信することができ、利用者は、携帯端末２を操作し、画像の取得情報に基づいて画像を取得することができる。
【０２２２】
なお、携帯送信処理が行われる前は、事後接客部１３のタブレット内蔵モニタ１６１にはデモ画像が表示されており、携帯送信処理が行われた後は、利用者が選択していないコースを案外する画像が表示される。また、携帯送信処理は、プリンタ２４１による印刷中に行われる。
【０２２３】
図３４には、図３３のステップＳ３１でタブレット内蔵モニタ１６１に表示される送信方法の選択画面が示されている。
【０２２４】
図３４に示すように、送信方法の選択画面には、送信方法を選択することを示唆するメッセージ「ケータイ送信の方法を選んでね」、非接触型ＩＣを利用して非接触通信による送信を利用者に選択させる非接触型ＩＣボタン９３１、および、メールアドレスを入力して電子メールによる送信を利用者に選択させるアドレス入力ボタン９３２が表示される。
【０２２５】
例えば、利用者が非接触型ＩＣボタン９３１をタッチすると、図３３のステップＳ３２において、事後接客処理部２８５は利用者により非接触通信が選択されたと判定する。一方、利用者がアドレス入力ボタン９３２をタッチすると、図３３のステップＳ３２において、事後接客処理部２８５は利用者により非接触通信が選択されなかったと判定する。
【０２２６】
図３５には、図３３のステップＳ３３でタブレット内蔵モニタ１６１に表示される画像選択画面と、図３３のステップＳ３４でタブレット内蔵モニタ１６１に表示されるメールアドレス入力画面が示されている。なお、送信方法としてメールアドレス入力が選択された場合には、２人の利用者により同時に画像選択およびメールアドレス入力が行われる。
【０２２７】
図３５Ａに示すように、画像選択画面の左側半分には、上側から順に、通常画像表示部９４１Ｌ、特別撮影画像表示部９４３Ｌ、およびＯＫボタン９４２Ｌが表示される。通常画像表示部９４１Ｌには、通常撮影で撮影された複数枚（最大で６枚）の通常画像が表示される。特別撮影画像表示部９４３Ｌには、特別撮影で撮影された画像が表示され、図３５Ａの例では、デザイン特別撮影画像が表示されている。ＯＫボタン９４２Ｌは、通常画像表示部９４１Ｌまたは特別撮影画像表示部９４３Ｌに表示された画像の中から、利用者が選択した画像の送信を決定するときにタッチされる。
【０２２８】
また、画像選択画面の右側半分にも、左側半分と同様に、通常画像表示部９４１Ｒ、特別撮影画像表示部９４３Ｒ、およびＯＫボタン９４２Ｒが表示され、特別撮影画像表示部９４３Ｒには、図３５Ａの例では、コラージュ特別撮影画像が表示されている。
【０２２９】
図３５Ｂに示すように、メールアドレス入力画面の左側半分には、その中央に、アルファベットを入力するためのＧＵＩが表示されるアルファベット表示部９５１Ｌが表示される。アルファベット表示部９５１Ｌには、入力されたメールアドレスを表示するメールアドレス表示部９５３Ｌ、入力されたメールアドレスを決定するときにタッチされるＯＫボタン９５４Ｌ、および、送信方法を非接触通信に変更するときにタッチされる変更ボタン９５５Ｌが表示される。また、アルファベット表示部９５１Ｌの下方には、画像選択画面で選択された画像が表示される画像表示部９５２Ｌが表示され、図３５Ｂの例では、デザイン特別撮影画像が表示されている。
【０２３０】
また、メールアドレス入力画面の右側半分にも、左側半分と同様に、アルファベット表示部９５１Ｌおよび画像表示部９５２Ｌが表示され、アルファベット表示部９５１Ｌには、メールアドレス表示部９５３Ｌ、ＯＫボタン９５４Ｌ、および変更ボタン９５５Ｌが表示される。また、画像表示部９５２Ｌには、図３５Ｂの例では、コラージュ特別撮影画像が表示されている。
【０２３１】
図３６には、図３３のステップＳ３６でタブレット内蔵モニタ１６１に表示される画像選択画面が示されている。なお、送信方法として非接触通信が選択された場合には、利用者一人ずつ画像選択が行われる。
【０２３２】
図３６に示すように、画像選択画面には、通常画像表示部９０２、特別撮影画像表示部９０４、ＯＫボタン９０３、および変更ボタン９６１が表示される。
【０２３３】
通常画像表示部９０２には、通常撮影で撮影された複数枚（最大で６枚）の通常画像が表示される。特別撮影画像表示部９０４で撮影された画像が表示され、図３６の例では、デザイン特別撮影画像が表示されている。ＯＫボタン９０３は、通常画像表示部９０２または特別撮影画像表示部９０４に表示された画像の中から、利用者が選択した画像の送信を決定するときにタッチされる。変更ボタン９６１は、送信方法を非接触通信に変更するときにタッチされる。
【０２３４】
図３７には、図３３のステップＳ３７でタブレット内蔵モニタ１６１に表示される非接触通信利用画面が示されている。なお、送信方法として非接触通信が選択された場合には、利用者一人ずつ画像の取得情報（ＵＲＬ）の送信が行われる。
【０２３５】
図３７Ａに示すように、非接触通信を開始するとき非接触通信利用画面には、図３６の画像選択画面で選択された画像（図３７Ａの例では、デザイン特別撮影画像）が表示される。そして、その画像の下方に、利用者に携帯端末２を非接触型ICリーダ／ライタ１６３に近接させることを示唆するメッセージ「下の非接触型ICポートにケータイをかざしてね」が表示される。そして、利用者が、携帯端末２を非接触型ICリーダ／ライタ１６３に近接させ、非接触型ICリーダ／ライタ１６３から携帯端末２に画像の取得情報の送信が行われる。そして、その送信が終了すると、図３７Ｂに示すように、非接触通信利用画面には、画像の取得情報の送信が終了したことを示唆するメッセージ「ＵＲＬ取得完了！！」が表示される。
【０２３６】
次に、図３８乃至図４２には、図２１のステップＳ２３の特別撮影選択処理において表示される特別撮影選択画面の変形例が示されている。
【０２３７】
図３８に示されている特別撮影選択画面６０１Ａは、デザイン特別撮影およびコラージュ特別撮影の２種類の特別撮影を選択可能である点で、図２５の特別撮影選択画面６０１と異なっている。即ち、特別撮影選択画面６０１Ａの左側半分において上側から順に、デザイン特別撮影選択ボタン６０３Ｌおよびコラージュ特別撮影選択ボタン６０４Ｌが表示される。同様に、特別撮影選択画面６０１Ａの右側半分において上側から順に、デザイン特別撮影選択ボタン６０３Ｒおよびコラージュ特別撮影選択ボタン６０４が表示される。
【０２３８】
図３９に示されている特別撮影選択画面６０１Ｂは、ノーマル特別撮影、デザイン特別撮影、コラージュ特別撮影、および記念日特別撮影の４種類の特別撮影を選択可能である点で、図２５の特別撮影選択画面６０１と異なっている。なお、記念日特別撮影は、例えば、記念日を祝うための専用の絵柄や文字などが施される特別撮影であり、誕生日や付き合った日などを祝うようなデザインが用意されている。
【０２３９】
即ち、特別撮影選択画面６０１Ｂの左側半分において上側から順に、ノーマル特別撮影選択ボタン６０２Ｌ、デザイン特別撮影選択ボタン６０３Ｌ、コラージュ特別撮影選択ボタン６０４Ｌ、および記念日特別撮影選択ボタン６１１Ｌが表示される。同様に、特別撮影選択画面６０１Ｂの右側半分において上側から順に、ノーマル特別撮影選択ボタン６０２Ｒ、デザイン特別撮影選択ボタン６０３Ｒ、コラージュ特別撮影選択ボタン６０４Ｒ、および記念日特別撮影選択ボタン６１１Ｒが表示される。
【０２４０】
図４０に示されている特別撮影選択画面６０１Ｃは、ノーマル特別撮影選択ボタン６０２Ｌおよび６０２Ｒ、デザイン特別撮影選択ボタン６０３Ｌおよび６０３Ｒ、並びに、コラージュ特別撮影選択ボタン６０４Ｌおよび６０４Ｒが縦長の形状である点で、図２５の特別撮影選択画面６０１と異なっている。即ち、特別撮影選択画面６０１Ｃの左側半分において左側から順に、ノーマル特別撮影選択ボタン６０２Ｌ、デザイン特別撮影選択ボタン６０３Ｌ、およびコラージュ特別撮影選択ボタン６０４Ｌが表示される。同様に、特別撮影選択画面６０１Ｃの右側半分において左側から順に、ノーマル特別撮影選択ボタン６０２Ｒ、デザイン特別撮影選択ボタン６０３Ｒ、およびコラージュ特別撮影選択ボタン６０４Ｒが表示される。なお、縦長である点を利用して、実際のシールレイアウトを表示し、利用者にどのような写真がシール紙として出力されるか理解を促すようにしてもよい。
【０２４１】
図４１に示されている特別撮影選択画面６０１Ｄは、ノーマル特別撮影選択ボタン６０２Ｌおよび６０２Ｒ、デザイン特別撮影選択ボタン６０３Ｌおよび６０３Ｒ、並びに、コラージュ特別撮影選択ボタン６０４Ｌおよび６０４Ｒの形状が楕円形である点で、図２５の特別撮影選択画面６０１と異なっている。また、特別撮影選択画面６０１Ｄでは、図２５の特別撮影選択画面６０１と同様に、ノーマル特別撮影、デザイン特別撮影、およびコラージュ特別撮影の３種類の特別撮影を選択可能である。
【０２４２】
図４２に示されている特別撮影選択画面６０１Ｅは、ノーマル特別撮影、デザイン特別撮影、コラージュ特別撮影、および記念日特別撮影の４種類の特別撮影を選択可能であり、それらを選択するボタンが格子状に配置されている点で、図２５の特別撮影選択画面６０１と異なっている。
【０２４３】
即ち、特別撮影選択画面６０１Ｅの左側半分において、左上にノーマル特別撮影選択ボタン６０２Ｌが表示され、右上にデザイン特別撮影選択ボタン６０３Ｌが表示され、左下にコラージュ特別撮影選択ボタン６０４Ｌが表示され、右下に記念日特別撮影選択ボタン６１１Ｌが表示される。同様に、特別撮影選択画面６０１Ｅの右側半分において、左上にノーマル特別撮影選択ボタン６０２Ｒが表示され、右上にデザイン特別撮影選択ボタン６０３Ｒが表示され、左下にコラージュ特別撮影選択ボタン６０４Ｒが表示され、右下に記念日特別撮影選択ボタン６１１Ｒが表示される。
【０２４４】
以上のように、図３８乃至図４２に特別撮影選択画面６０１に表示されるボタンの形状を例示したが、これらの例に限定されることはなく、例えば、真円や多角形、ハート記号等の種々の形状であってもよい。
【０２４５】
次に、図４３乃至図４７を参照して、写真シール作成装置１により提供されるシール紙のレイアウトの例について説明する。
【０２４６】
図４３に示されているシール紙１００１は、縦方向に４段の画像が配置される縦長のレイアウトとされており、上から１段目にデザイン特別撮影画像１００２が配置されている。そして、シール紙１００１では、上から２段目に２枚の通常画像１００３および１００４が配置され、上から３段目に２枚の通常画像１００５および１００６が配置され、上から４段目に２枚の通常画像１００７および１００８が配置されている。また、デザイン特別撮影画像１００２では、図１４Ａのデザイン特別撮影画像５０１と同様に、デザイン特別撮影画像１００２の左側に、被写体が矩形の枠で切り出された特別画像１００９が配置されている。
【０２４７】
ここで、特別撮影画像の画角は、1:1.5の比率で構成されており、これは、ウェブページで使用されるプロフィール画像の画角が1:1.5の比率であり、この比率の変更を施さずに、特別撮影画像をウェブページで使用することができるためである。なお、通常撮影の画角は、1:1.2の比率で構成されている。なお、長方形とした理由は、縦長にすることで、利用者が細く撮影されること、落書きスペースが広くとれること等があげられる。
【０２４８】
図４４に示されているシール紙１０１１は、縦方向に４段の画像が配置される縦長のレイアウトとされており、上から１段目にコラージュ特別撮影画像１０１２が配置されている。そして、シール紙１０１１では、上から２段目に２枚の通常画像１０１３および１０１４が配置され、上から３段目に２枚の通常画像１０１５および１０１６が配置され、上から４段目に２枚の通常画像１０１７および１０１８が配置されている。また、コラージュ特別撮影画像１０１２では、被写体が矩形の枠で切り出された特別画像１０１９が中央下側に配置されており、左上に通常画像１０１８が配置され、右上に通常画像１０１４が配置され、左下に通常画像１０１３が配置され、右下に通常画像１０１５が配置されている。
【０２４９】
図４５に示されているシール紙１０２１は、縦方向に４段の画像が配置される縦長のレイアウトとされており、上から２段目にデザイン特別撮影画像１０２２が配置されている。そして、シール紙１０２１では、上から１段目に通常画像１０２３および１０２４が配置され、上から３段目に２枚の通常画像１０２５および１０２６が配置され、上から４段目に２枚の通常画像１０２７および１０２８が配置されている。また、デザイン特別撮影画像１０２２では、図１４Ｂのデザイン特別撮影画像５１１と同様に、デザイン特別撮影画像１０２４の右側に、被写体の輪郭に沿って切り出された特別画像１０２９が配置されている。また、シール紙１０２１では、２段目にデザイン特別撮影画像を配置したが、図２８のサンプル表示部６２６Ｒに示されているように、もちろん１段目（上部）にデザイン特別撮影画像を配置してもよい。
【０２５０】
図４６に示されているシール紙１０３１は、縦方向に４段の画像が配置される縦長のレイアウトとされており、上から１段目にデザイン特別撮影画像１０３２が配置され、上から３段目にデザイン特別撮影画像１０３３が配置されている。そして、シール紙１０３１では、上から２段目に２枚の通常画像１０３４および１０３５が配置され、上から４段目に２枚の通常画像１０３６および１０３７が配置されている。また、デザイン特別撮影画像１０３２では、被写体の輪郭に沿って切り出された特別画像１０３８が右側に配置され、デザイン特別撮影画像１０３３では、被写体が矩形の枠で切り出された特別画像１０３９が左側に配置されている。なお、シール紙１０３１としては、例えば、デザイン特別撮影画像１０３３に替えて、コラージュ特別撮影画像またはノーマル特別撮影画像が配置されてもよい。
【０２５１】
図４７に示されているシール紙１０４１は、縦方向に４段の画像が配置される縦長のレイアウトとされており、上から１段目にデザイン特別撮影画像１０４２が配置され、上から２段目にコラージュ特別撮影画像１０４３が配置され、上から３段目にデザイン特別撮影画像１０４４が配置され、上から４段目にコラージュ特別撮影画像１０４５が配置されている。即ち、シール紙１０４１は、通常画像が配置されずに、デザイン特別撮影画像１０４２および１０４４と、コラージュ特別撮影画像１０４３および１０４５とが配置されたレイアウトとなっている。このように、特別撮影により撮影された画像のみが配置されるようなレイアウトを採用してもよい。
【０２５２】
また、デザイン特別撮影画像１０４２では、被写体の輪郭に沿って切り出された特別画像１０４６が右側に配置されており、デザイン特別撮影画像１０４４では、被写体が矩形の枠で切り出された特別画像１０５１が左側に配置されている。コラージュ特別撮影画像１０４５では、特別画像１０５２と、４枚の通常画像１０５３乃至１０５６が組み合わされて配置されている。
【０２５３】
ここで、コラージュ特別撮影画像１０４３では、右上に特別画像１０４７が配置され、左下に特別画像１０４８が配置され、中央の上側に通常画像１０４９が配置され、中央の下側に通常画像１０５０が配置されている。このように、コラージュ特別撮影画像１０４３において、２枚の特別画像１０４７および１０４８が配置されるようなレイアウトを採用することができる。つまり、コラージュ特別撮影画像に配置される特別画像は１枚に限定されるものではなく、複数枚の特別画像が配置されてもよい。また、コラージュ特別撮影画像１０４３において、特別画像および通常画像が組み合わされた４枚が使用されているが、その４枚に全て特別画像を使用してレイアウトしたシール紙１０４１を出力してもよい。
【０２５４】
図４８Ａに示されているシール紙１０６１は、横方向に４段の画像が配置される横長のレイアウトとされており、右から１段目にデザイン特別撮影画像１０６２が配置されている。そして、シール紙１０６１では、右から２段目に２枚の通常画像１０６３および１０６４が配置され、右から３段目に２枚の通常画像１０６５および１０６６が配置され、右から４段目に２枚の通常画像１０６７および１０６８が配置されている。また、デザイン特別撮影画像１０６２では、図１４Ｂのデザイン特別撮影画像５１１と同様に、デザイン特別撮影画像１０６２の右側に、被写体の輪郭に沿って切り出された特別画像１０６９が配置されている。
【０２５５】
図４８Ｂに示されているシール紙１０７１は、横方向に４段の画像が配置される横長のレイアウトとされており、右から１段目に２枚のデザイン特別撮影画像１０７２および１０７３が配置されている。そして、シール紙１０７１では、右から２段目に２枚の通常画像１０７４および１０７５が配置され、右から３段目に２枚の通常画像１０７６および１０７７が配置され、右から４段目に２枚の通常画像１０７８および１０７９が配置されている。また、デザイン特別撮影画像１０７２では、図１４Ｂのデザイン特別撮影画像５１１と同様に、デザイン特別撮影画像１０７２の右側に、被写体の輪郭に沿って切り出された特別画像１０８０が配置されている。また、デザイン特別撮影画像１０７３では、図１４Ａのデザイン特別撮影画像５１１と同様に、デザイン特別撮影画像１０７３の左側に、被写体が矩形の枠で切り出された特別画像１０８１が配置されている。
【０２５６】
次に、図４９には、コラージュ特別撮影画像の変形例を示している。
【０２５７】
図４９Ａに示されているコラージュ特別撮影画像１０９１は、５枚の通常画像１０９２乃至１０９６が組み合わされ、それらの背景に絵柄や文字などがデザインされたデザイン画像１０９７が合成されて作成される。即ち、コラージュ特別撮影画像１０９１のように、コラージュ特別撮影画像は、特別画像を用いて作成するのに限定されるのではなく、全て通常画像を用いて作成してもよい。
【０２５８】
図４９Ｂに示されているコラージュ特別撮影画像１１０１は、単独の被写体の輪郭に沿って切り出した１枚の特別画像１１０２と、被写体を単独で切り出した矩形の枠で囲われた３枚の特別画像１１０３乃至１１０５とが組み合わされ、それらの背景に絵柄や文字などが描かれてデザインされたデザイン画像１１０６が合成されて作成される。即ち、コラージュ特別撮影画像１１０１のように、コラージュ特別撮影画像は、通常画像を用いて作成するのに限定されるのではなく、全て特別画像を用いて作成してもよい。
【０２５９】
また、コラージュ特別撮影画像１０９１のように、通常画像のみが用いられる場合、写真シール作成装置１では、特別撮影が行われない処理が行われる。同様に、コラージュ特別撮影画像１１０１のように、特別画像のみが用いられる場合、写真シール作成装置１では、通常撮影が行われない処理が実行される。
【０２６０】
即ち、上述した実施の形態では、写真シール作成装置１では、図１６のステップＳ１１で被写体の人数を認識した後、図１６のステップＳ１２で通常撮影を行い、図１６のステップＳ１６で特別撮影を行って、その後、図２１のステップＳ２３で特別撮影の種類を選択させるという流れの処理について説明した。
【０２６１】
これに対し、コラージュ特別撮影画像に通常画像のみが用いられる場合、図１６のステップＳ１１で被写体の人数を認識した後、図１６のステップＳ１２で通常撮影を行って、その後、図２１のステップＳ２３で特別撮影の種類を選択させるという流れの処理が行われる。即ち、この場合、通常撮影のみが行われ、特別撮影は行われない。なお、この場合、特別撮影の種類として、ノーマル特別撮影またはデザイン特別撮影が選択されると、分割パターンを選択する前に、複数の通常画像の中から使用するものを選択する処理が行われる。
【０２６２】
このように、通常撮影のみが行われる場合には、通常撮影で撮影された全ての通常画像の中から、複数の通常画像を選択してコラージュ特別撮影画像を作成することができる。例えば、多人数のとき、処理に長時間が必要となるため、通常撮影のみとして撮影回数を増やすことができる。
【０２６３】
また、コラージュ特別撮影画像に特別画像のみが用いられる場合、図１６のステップＳ１１で被写体の人数を認識した後、図１６のステップＳ１６で特別撮影を行って、その後、図２１のステップＳ２３で特別撮影の種類を選択させるという流れの処理が行われる。即ち、この場合、通常撮影を行うステップは実行されない。
【０２６４】
さらに、この他、写真シール作成装置１では、図１６のステップＳ１１で被写体の人数を認識した後、先に特別撮影を行い、その後に通常撮影を行って、その後、図２１のステップＳ２３で特別撮影の種類を選択させるという流れの処理を実行してもよい。この場合、特別撮影の前に、人数を検知するための撮影を行ったり、アナウンス画面で人数を選択させ、この人数に対して、特別撮影をするための枠を表示したりしてもよい。
【０２６５】
また、写真シール作成装置１では、図１６のステップＳ１１で被写体の人数を認識した後、通常撮影を行い、特別撮影を行い、また通常撮影を行って、その後、図２１のステップＳ２３で特別撮影の種類を選択させるという流れの処理を実行してもよい。即ち、通常撮影の間に特別撮影が行われるようにしてもよい。この場合、例えば、最初の通常撮影で被写体の人数を検知したり、最初の通常撮影から特別撮影を行うまでの間に被写体の人数を検知したりしてもよい。
【０２６６】
このように、写真シール作成装置１では、撮影処理部２８２は様々な撮影手順のいずれか１つにより撮影を行うことができる。
【０２６７】
例えば、デザイン特別撮影が選択された場合には、通常撮影または特別撮影の両方を行うことができる。通常撮影にすることにより、複数の利用者での撮影および表示が行われるため、１人の利用者で撮影された場合と比較しても、寂しさがなく画像を選択できる枚数を増やすことができる。また、通常撮影であるため、全身画像またはアップ画像の両方を選択することができる。
【０２６８】
また、例えば、コラージュ特別撮影が選択された場合には、撮影画像は、全て通常撮影とすることができる。そして、全て通常撮影とした場合には、図４９Ａに示したようなコラージュ特別撮影画像１０９１を提供することができる。なお、この場合、通常撮影の１回を１人のみで撮影し、この画像を大きく表示される位置に配置（図４９Ａの例では中央に配置）することで、特別撮影で撮影された画像のように処理することができる。
【０２６９】
なお、写真シール作成装置１では、特別撮影において利用者の全身を撮影し、特別画像に替えて全身画像を使用してデザイン特別撮影画像またはコラージュ特別撮影画像を作成してもよい。
【０２７０】
以上のように、写真シール作成装置１では、デザイン特別撮影画像およびコラージュ特別撮影画像を提供することができるので、携帯送信後において、ウェブページのプロフィール画像として利用できる以外にも、ウェブページのヘッダー・フッターとしても利用することができる。このように、利用者の満足度の高い画像を提供することができる。
【０２７１】
さらに、これらの画像は、その用途別に分類化されており、利用者は、その用途に応じて合成画像を選択することが可能になり、利用者にとっては非常に煩わしさを与えることなくスムーズに、目的に応じた画像を提供されることが可能となり、よりゲームを楽しませることができる。そして、写真シール作成装置１は、特別画像を利用した合成画像の種類を選択するだけで、その種類の用途または目的に応じた編集処理・印刷レイアウト・ウェブページでの利用を提供し、さらには種類の中でデザインパターン等の選択させる画面又はゲームを提供することができる。
【０２７２】
また、特別撮影を選択することで、複数名が同時に撮影を行うことで、本来であれば、１つの画像に対して複数名が撮影・表示されるのであるが、画像処理を施すことにより、１つの画像に対して、１名が撮影・表示される。さらに、複数名を同時撮影することで、複数回の撮影を必要とせず、一名で撮影する恥ずかしさ・手間も軽減される。
【０２７３】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０２７４】
上述した一連の処理をプログラムにより実行するコンピュータのハードウエアは、図１１に示した管理サーバ３のような構成とすることが可能である。ＣＰＵ３１１が、例えば、記憶部３１８に記憶されているプログラムを、入出力インタフェース３１５及びバス３１４を介して、ＲＡＭ３１３にロードして実行することにより、上述した一連の処理が行われる。
【０２７５】
コンピュータ（ＣＰＵ３１１）が実行するプログラムは、例えば、パッケージメディア等としてのリムーバブルメディア３１１に記録して提供することができる。また、プログラムは、ローカルエリアネットワーク、インターネット、デジタル衛星放送といった、有線または無線の伝送媒体を介して提供することができる。
【０２７６】
コンピュータでは、プログラムは、リムーバブルメディア３１１をドライブ３２０に装着することにより、入出力インタフェース３１５を介して、記憶部３１８にインストールすることができる。また、プログラムは、有線または無線の伝送媒体を介して、通信部３１９で受信し、記憶部３１８にインストールすることができる。その他、プログラムは、ＲＯＭ３１２や記憶部３１８に、あらかじめインストールしておくことができる。
【０２７７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２７８】
また、本明細書において、システムとは、複数の装置により構成される装置全体を表すものである。
【０２７９】
なお、本技術の実施の形態は、上述した実施の形態に限定されるものではなく、本技術の要旨を逸脱しない範囲において種々の変更が可能である。
【符号の説明】
【０２８０】
１  写真シール作成装置，  １１  撮影ユニット，  １２  編集部，  ２０１  制御部，  ２０２  記憶部，  ２８２  撮影処理部，  ２８３  編集処理部，  ２８４  印刷処理部，  ２８５  事後接客処理部
【図１】
2014082532.tif 000003
【図２】
2014082532.tif 000004
【図３】
2014082532.tif 000005
【図４】
2014082532.tif 000006
【図５】
2014082532.tif 000007
【図６】
2014082532.tif 000008
【図７】
2014082532.tif 000009
【図８】
2014082532.tif 000010
【図９】
2014082532.tif 000011
【図１０】
2014082532.tif 000012
【図１１】
2014082532.tif 000013
【図１２】
2014082532.tif 000014
【図１３】
2014082532.tif 000015
【図１４】
2014082532.tif 000016
【図１５】
2014082532.tif 000017
【図１６】
2014082532.tif 000018
【図１７】
2014082532.tif 000019
【図１８】
2014082532.tif 000020
【図１９】
2014082532.tif 000021
【図２０】
2014082532.tif 000022
【図２１】
2014082532.tif 000023
【図２２】
2014082532.tif 000024
【図２３】
2014082532.tif 000025
【図２４】
2014082532.tif 000026
【図２５】
2014082532.tif 000027
【図２６】
2014082532.tif 000028
【図２７】
2014082532.tif 000029
【図２８】
2014082532.tif 000030
【図２９】
2014082532.tif 000031
【図３０】
2014082532.tif 000032
【図３１】
2014082532.tif 000033
【図３２】
2014082532.tif 000034
【図３３】
2014082532.tif 000035
【図３４】
2014082532.tif 000036
【図３５】
2014082532.tif 000037
【図３６】
2014082532.tif 000038
【図３７】
2014082532.tif 000039
【図３８】
2014082532.tif 000040
【図３９】
2014082532.tif 000041
【図４０】
2014082532.tif 000042
【図４１】
2014082532.tif 000043
【図４２】
2014082532.tif 000044
【図４３】
2014082532.tif 000045
【図４４】
2014082532.tif 000046
【図４５】
2014082532.tif 000047
【図４６】
2014082532.tif 000048
【図４７】
2014082532.tif 000049
【図４８】
2014082532.tif 000050
【図４９】
2014082532.tif 000051
【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
利用者を被写体として、所定の撮影手順で、１回の撮影で１枚の画像を生成する通常撮影と、１回の撮影で取得される画像から複数枚の画像を生成する特別撮影とのいずれか１以上の種類の撮影を行う撮影部と、
前記撮影部により特別撮影が行われて複数枚の前記特別画像がそれぞれ生成され、それらの前記特別画像を利用して、所定のデザインが施された合成用画像を前記特別画像に合成する合成方法、または、前記撮影部により通常撮影が行われて撮影された複数枚の通常画像を組み合わせて前記特別画像に合成する合成方法を選択させる選択部と、
前記選択部により選択された合成方法により、前記特別画像に対する合成が行われた合成画像を利用者に提供する提供部と
を備える画像提供装置。
【請求項２】
前記撮影部による撮影を複数の利用者で行った場合において、前記選択部は、前記利用者ごとに前記合成方法を選択させる
請求項１に記載の画像提供装置。
【請求項３】
前記合成画像は、前記撮影部が特別撮影を行って撮影された前記特別画像と、前記特別画像の前景または背景として合成される絵柄および文字の少なくとも一方がデザインされた前記合成用画像とにより構成される
請求項１または２に記載の画像提供装置。
【請求項４】
前記合成画像は、前記撮影部が特別撮影を行って撮影された前記特別画像と、前記撮影部が通常撮影を行って撮影された前記通常画像と、前記特別画像と前記通常画像との前景または背景として合成される絵柄および文字の少なくとも一方がデザインされた前記合成用画像とにより構成される
請求項１乃至３のいずれかに記載の画像提供装置。
【請求項５】
前記撮影部により撮影された撮影画像に編集情報を入力する編集作業を行う編集部をさらに備え、
前記編集部は、前記特別画像と前記通常画像と前記合成用画像とにより構成される前記合成画像に対する編集が禁止される
請求項１乃至４のいずれかに記載の画像提供装置。
【請求項６】
前記撮影部が通常撮影を行って撮影された複数の前記通常画像の中から、前記合成画像に使用される所定数の前記通常画像を入れ替える入れ替え手段をさらに備える
請求項１乃至５のいずれかに記載の画像提供装置。
【請求項７】
前記撮影部は、通常撮影のみを行う撮影手順、通常撮影を行った後に特別撮影を行う撮影手順、通常撮影の前に特別撮影を行う撮影手順、通常撮影の間に特別撮影を行う撮影手順、および、特別撮影のみを行う撮影手順のいずれか１つにより撮影を行う
請求項１乃至６のいずれかに記載の画像提供装置。
【請求項８】
前記合成画像は、インターネット上で公開されている利用者のウェブページに掲載するために用いるという目的に応じた前記２つの合成方法のいずれかにより合成され、または、携帯端末の待機中に表示される待ち受け画面に表示するという目的に応じた前記２つの合成方法のいずれかにより合成される
請求項１乃至７のいずれかに記載の画像提供装置。
【請求項９】
前記提供部は、前記合成画像が印刷されたシール紙を出力することにより前記合成画像を提供し、
前記シール紙は、縦方向または横方向に前記通常画像または前記特別画像が複数段配置され、少なくとも１段以上に前記特別画像が配置される
請求項１乃至８のいずれかに記載の画像提供装置。
【請求項１０】
利用者を被写体として、所定の撮影手順で、１回の撮影で１枚の画像を生成する通常撮影と、１回の撮影で取得される画像から複数枚の画像を生成する特別撮影とのいずれか１以上の種類の撮影を行い、
特別撮影が行われて複数枚の前記特別画像がそれぞれ生成され、それらの前記特別画像を利用して、所定のデザインが施された合成用画像を前記特別画像に合成する合成方法、または、通常撮影が行われて撮影された複数枚の通常画像を組み合わせて前記特別画像に合成する合成方法を選択させ、
選択された合成方法により、前記特別画像に対する合成が行われた合成画像を利用者に提供する
ステップを含む画像提供方法。
【請求項１１】
利用者を被写体として、所定の撮影手順で、１回の撮影で１枚の画像を生成する通常撮影と、１回の撮影で取得される画像から複数枚の画像を生成する特別撮影とのいずれか１以上の種類の撮影を行い、
特別撮影が行われて複数枚の前記特別画像がそれぞれ生成され、それらの前記特別画像を利用して、所定のデザインが施された合成用画像を前記特別画像に合成する合成方法、または、通常撮影が行われて撮影された複数枚の通常画像を組み合わせて前記特別画像に合成する合成方法を選択させ、
選択された合成方法により、前記特別画像に対する合成が行われた合成画像を利用者に提供する
ステップを含む画像提供処理をコンピュータに実行させるプログラム。
【手続補正２】
【補正対象書類名】明細書
【補正対象項目名】００１３
【補正方法】変更
【補正の内容】
【００１３】
本開示の一側面の画像提供装置は、利用者を被写体として、所定の撮影手順で、１回の撮影で１枚の画像を生成する通常撮影と、１回の撮影で取得される画像から複数枚の画像を生成する特別撮影とのいずれか１以上の種類の撮影を行う撮影部と、前記撮影部により特別撮影が行われて複数枚の前記特別画像がそれぞれ生成され、それらの前記特別画像を利用して、所定のデザインが施された合成用画像を前記特別画像に合成する合成方法、または、前記撮影部により通常撮影が行われて撮影された複数枚の通常画像を組み合わせて前記特別画像に合成する合成方法を選択させる選択部と、前記選択部により選択された合成方法により、前記特別画像に対する合成が行われた合成画像を利用者に提供する提供部とを備える。
【手続補正３】
【補正対象書類名】明細書
【補正対象項目名】００１４
【補正方法】変更
【補正の内容】
【００１４】
本開示の一側面の画像提供方法またはプログラムは、利用者を被写体として、所定の撮影手順で、１回の撮影で１枚の画像を生成する通常撮影と、１回の撮影で取得される画像から複数枚の画像を生成する特別撮影とのいずれか１以上の種類の撮影を行い、特別撮影が行われて複数枚の前記特別画像がそれぞれ生成され、それらの前記特別画像を利用して、所定のデザインが施された合成用画像を前記特別画像に合成する合成方法、または、通常撮影が行われて撮影された複数枚の通常画像を組み合わせて前記特別画像に合成する合成方法を選択させ、選択された合成方法により、前記特別画像に対する合成が行われた合成画像を利用者に提供するステップを含む。
【手続補正４】
【補正対象書類名】明細書
【補正対象項目名】００１５
【補正方法】変更
【補正の内容】
【００１５】
本開示の一側面においては、利用者を被写体として、所定の撮影手順で、１回の撮影で１枚の画像を生成する通常撮影と、１回の撮影で取得される画像から複数枚の画像を生成する特別撮影とのいずれか１以上の種類の撮影が行われ、特別撮影が行われて複数枚の前記特別画像がそれぞれ生成され、それらの前記特別画像を利用して、所定のデザインが施された合成用画像を前記特別画像に合成する合成方法、または、通常撮影が行われて撮影された複数枚の通常画像を組み合わせて前記特別画像に合成する合成方法が選択され、その選択された合成方法により、前記特別画像に対する合成が行われた合成画像が利用者に提供される。